(57)【要約】【課題】ハイダイナミックレンジの画像表示を良好に行い得るようにする。【解決手段】高速差動信号インタフェースであるマルチメディアインタフェース端子と、一方向にＴＭＤＳチャネルを含むマルチメディアインタフェース受信部と、ハイダイナミックレンジ処理回路と、パネル駆動回路と、表示パネルを備える。伝送路を介して送信装置からマルチメディアインタフェース受信部を通してハイダイナミックレンジの画像データを含むハイダイナミックレンジ信号を受信し、ハイダイナミックレンジの画像データのためのガンマ補正に関するインフォフレームパケット内の情報を受信する。【選択図】図５
2019118104.tif 000002
【特許請求の範囲】
【請求項１】
高速差動信号インタフェースであるマルチメディアインタフェース端子と、
一方向にＴＭＤＳ（Transition Minimized Differential Signaling）チャネルを含むマルチメディアインタフェース受信部と、
ハイダイナミックレンジ処理回路と、
パネル駆動回路と、
表示パネルを備え、
伝送路を介して送信装置から上記マルチメディアインタフェース受信部を通してハイダイナミックレンジの画像データを含むハイダイナミックレンジ信号を受信し、上記ハイダイナミックレンジの画像データのためのガンマ補正に関するインフォフレーム（InfoFrame）パケット内の情報を受信する
表示装置。
【請求項２】
アンテナ端子と、
デジタルチューナをさらに備える
請求項１に記載の表示装置。
【請求項３】
上記マルチメディアインタフェース端子は、ＨＤＭＩ（High Definition Multimedia Interface）端子である
請求項１に記載の表示装置。
【請求項４】
上記マルチメディアインタフェース受信部は、ＨＤＭＩ受信部である
請求項３に記載の表示装置。
【請求項５】
上記マルチメディアインタフェース端子は、ＤＰ（Display Port）端子である
請求項１に記載の表示装置。
【請求項６】
上記マルチメディアインタフェース受信部は、ＤＰ受信部である
請求項５に記載の表示装置。
【請求項７】
上記インフォフレームパケットは、ＶＳ（Vendor Specific）インフォフレームパケットである
請求項１に記載の表示装置。
【請求項８】
上記インフォフレームパケットは、ＡＶ（Auxiliary Video）インフォフレームパケットである
請求項１に記載の表示装置。
【請求項９】
上記伝送路は、ＨＤＭＩ（High Definition Multimedia Interface）ケーブルである
請求項１に記載の表示装置。
【請求項１０】
上記伝送路は、ＤＰ（Display Port）ケーブルである
請求項１に記載の表示装置。
【請求項１１】
上記インフォフレームパケットは、上記画像データの水平ブランキング期間および垂直ブランキング期間の一部に割り当てられたデータアイランド区間に配置される
請求項１に記載の表示装置。
【請求項１２】
上記ＨＤＭＩケーブルは、ＣＥＣ（Consumer Electronics Control）ラインおよびＨＰＤ（Hot Plug Detect）ラインを含む
請求項９に記載の表示装置。
【請求項１３】
上記画像データは、一の垂直同期信号から次の垂直同期信号までの区間から水平ブランキング期間および垂直ブランキング期間を除いたアクティブビデオ区間に配置される
請求項１に記載の表示装置。
【請求項１４】
上記表示パネルは、ＬＣＤ（Liquid Crystal Display）パネルである
請求項１に記載の表示装置。
【請求項１５】
上記表示パネルは、有機ＥＬ（Organic Electro-Luminescence）パネルである
請求項１に記載の表示装置。
【請求項１６】
上記インフォフレームパケット内の情報は、上記表示装置の拡張最大輝度を含む
請求項１に記載の表示装置。
【請求項１７】
上記表示装置の拡張最大輝度は、ｃｄ／ｍ２の単位である
請求項１６に記載の表示装置。
【請求項１８】
上記表示装置は、上記表示装置が第１のモードに設定されているかどうかを判定し、
上記第１のモードに設定されていない場合、上記表示装置は、ハイダイナミックレンジ信号の受信が可能であると判定する
請求項１に記載の表示装置。
【請求項１９】
上記インフォフレームパケット内の情報は、パケット構造に対するメタデータタイプを含む
請求項１に記載の表示装置。
【請求項２０】
高速差動信号インタフェースであるマルチメディアインタフェース端子と、
一方向にＴＭＤＳ（Transition Minimized Differential Signaling）チャネルを含むマルチメディアインタフェース受信部と、
ハイダイナミックレンジ処理回路と、
選択された伝送方式に応じてデコードするデコーダと、
パネル駆動回路と、
表示パネルを備え、
伝送路を介して送信装置から上記マルチメディアインタフェース受信部を通してハイダイナミックレンジの画像データを含むハイダイナミックレンジ信号を受信し、上記ハイダイナミックレンジの画像データのためのガンマ補正に関するインフォフレーム（InfoFrame）パケット内の情報を受信する
表示装置。
【請求項２１】
高速差動信号インタフェースであるマルチメディアインタフェース端子と、
一方向にＴＭＤＳ（Transition Minimized Differential Signaling）チャネルを含むマルチメディアインタフェース受信部と、
ハイダイナミックレンジ処理回路と、
画像データのガンマ補正に関する情報に応じてデコードするデコーダと、
映像信号処理回路と、
グラフィクス生成回路と、
パネル駆動回路と、
表示パネルを備え、
伝送路を介して送信装置から上記マルチメディアインタフェース受信部を通してハイダイナミックレンジの画像データを含むハイダイナミックレンジ信号を受信し、上記ハイダイナミックレンジの画像データのためのガンマ補正に関するインフォフレーム（InfoFrame）パケット内の情報を受信する
表示装置。
【発明の詳細な説明】
【技術分野】
【０００１】
この発明は、表示装置に関する。
【背景技術】
【０００２】
近年、例えば、ＤＶＤ（Digital Versatile Disc）レコーダや、セットトップボックス、その他のＡＶソース（Audio Visual Source）から、テレビ受信機、プロジェクタ、その他のディスプレイに対して、デジタル映像信号、すなわち、非圧縮（ベースバンド）の映像信号（画像データ）と、その映像信号に付随するデジタル音声信号（音声データ）とを、高速に伝送する通信インタフェースとして、ＨＤＭＩ（High Definition Multimedia Interface）が普及しつつある。例えば、非特許文献１には、ＨＤＭＩ規格の詳細についての記載がある。
【０００３】
例えば、ソース機器としてのディスクプレーヤとシンク機器としてのテレビ受信機とを、ＨＤＭＩ接続したＡＶシステムなどが考えられるが、ディスクプレーヤに記録された画像データは、最大輝度１００ｃｄ／ｍ２という仕様の表示装置で表示されることを想定し輝度調整されている。
【０００４】
一方、技術の進歩により、表示装置の最大輝度が従来の１００ｃｄ／ｍ２を超えて１０００ｃｄ／ｍ２程度のものが実用化されており、表示装置の高輝度出力の能力が活かされていない。
【０００５】
そこで、画像データの最大輝度処理を１００ｃｄ／ｍ２を超えて輝度ダイナミックレンジ処理を行うハイダイナミックレンジ（ＨＤＲ：High Dynamic Range）処理が提案され、静止画の撮像、ポスト処理では実用化されている。例えば、特許文献１には、ＨＤＲ画像データの記録方式およびその処理に関する提案がされている。
【先行技術文献】
【非特許文献】
【０００６】
【非特許文献１】High-Definition Multimedia Interface Specification Version 1.4b, October 11,2011
【特許文献】
【０００７】
【特許文献１】特開２００５−３５２４８２号公報
【発明の概要】
【発明が解決しようとする課題】
【０００８】
従来、ＨＤＭＩ等のデジタルインタフェースでのハイダイナミックレンジの伝送仕様については何等提案されていない。
【０００９】
本技術の目的は、機器間におけるハイダイナミックレンジ画像データの伝送を良好に行い得るようにすることにある。
【課題を解決するための手段】
【００１０】
本技術の概念は、
ハイダイナミックレンジ画像データを、伝送路を介して、外部機器に送信するデータ送信部と、
上記データ送信部で送信される上記ハイダイナミックレンジ画像データの伝送方式情報および/またはガンマ補正情報を、上記伝送路を介して上記外部機器に送信する情報送信部とを備える
送信装置にある。
【００１１】
本技術において、データ送信部により、ハイダイナミックレンジ画像データが、伝送路を介して外部機器に送信される。例えば、データ送信部は、外部機器に、ハイダイナミックレンジ画像データを、差動信号により、伝送路を介して送信する、ようにされてもよい。
【００１２】
例えば、ハイダイナミックレンジ画像データは、第１のデータおよび第２のデータを含み、データ送信部は、第１のデータおよび第２のデータを立体画像用に規定された映像フォーマットで構成し、伝送路を介して外部機器に送信する、ようにされてもよい。また、例えば、ハイダイナミックレンジ画像データは、第１のデータおよび第２のデータを含み、データ送信部は、第１のデータを第１のフレーム画像として伝送路を介して外部機器に送信し、第２のデータを第２のフレーム画像として伝送路を介して外部機器に送信する、ようにされてもよい。
【００１３】
例えば、ハイダイナミックレンジ画像データは、第１のデータおよび第２のデータを含み、第１のデータはハイダイナミックレンジ画像データの下位８ビットデータであると共に、第２のデータはハイダイナミックレンジ画像データの上位ビットデータであるか、あるいは、第１のデータはハイダイナミックレンジ画像データの上位８ビットデータであると共に、第２のデータはハイダイナミックレンジ画像データの下位ビットデータである、ようにされてもよい。
【００１４】
情報送信部により、データ送信部で送信されるハイダイナミックレンジ画像データの伝送方式情報および/またはガンマ補正情報が、伝送路を介して外部機器に送信される。例えば、情報送信部は、データ送信部で送信されるハイダイナミックレンジ画像データの伝送方式情報および/またはガンマ補正情報を、このハイダイナミックレンジ画像データのブランキング期間に挿入することで、外部機器に送信する、ようにされてもよい。また、例えば、情報送信部は、データ送信部で送信されるハイダイナミックレンジ画像データの伝送方式情報および/またはガンマ補正情報を、伝送路を構成する制御データラインを介して、外部機器に送信する、ようにされてもよい。
【００１５】
また、例えば、情報送信部は、伝送路の所定ラインを用いて構成される双方向通信路を介して、データ送信部で送信されるハイダイナミックレンジ画像データの伝送方式情報および/またはガンマ補正情報を外部機器に送信する、ようにされてもよい。この場合、例えば、双方向通信路は一対の差動伝送路であり、この一対の差動伝送路のうち少なくとも一方は直流バイアス電位によって外部機器から接続状態の通知を受ける機能を有する、ようにされてもよい。
【００１６】
また、例えば、データ送信部で送信されるハイダイナミックレンジ画像データの伝送方式情報およびガンマ補正情報は、ハイダイナミックレンジ画像データの１００％を超える最大白レベル情報、黒レベル表現時のビット値、１００％白レベル表現時のビット値、ハイダイナミックレンジ処理の実施有無を示すフラグ、１００％白レベル時に想定される受信装置輝度レベル、ハイダイナミックレンジ画像の輝度伸長のために必要な輝度入力レベル、ハイダイナミックレンジ画像の輝度伸長のために必要な伸長輝度出力レベルの少なくとも１つを含む、ようにされてもよい。
【００１７】
このように本技術においては、ハイダイナミックレンジ画像データが伝送路を介して外部機器に送信されると共に、このハイダイナミックレンジ画像データの伝送方式情報および/またはガンマ補正情報が同じ伝送路を介して外部機器に送信されるものである。そのため、外部機器では、例えば、送信されてきたハイダイナミックレンジ画像データがいかなる伝送方式によるものか、いかなるガンマ補正方式によるものかなどを容易に把握でき、従ってハイダイナミックレンジ画像データの伝送を良好に行うことができる。
【００１８】
なお、本技術において、例えば、外部機器から伝送路を介して送られてくる、この外部機器が対応可能なハイダイナミックレンジ画像データの伝送方式情報および/またはガンマ補正方式情報を受信する情報受信部と、この情報受信部で受信された伝送方式情報および/またはガンマ補正方式情報に基づいて、外部機器が対応可能なハイダイナミックレンジ画像データの伝送方式および/またはガンマ補正方式から所定の伝送方式および/またはガンマ補正方式を選択する方式選択部とをさらに備え、データ送信部は、この方式選択部で選択された伝送方式および/またはガンマ補正方式のハイダイナミックレンジ画像データを、伝送路を介して外部機器に送信する、ようにされてもよい。
【００１９】
この場合、外部機器に送信されるハイダイナミックレンジ画像データの伝送方式および/またはガンマ補正方式は必ず外部機器が対応可能なものとなる。そのため、ハイダイナミックレンジ画像データの伝送を良好に行うことができる。
【００２０】
また、本技術の他の概念は、
外部機器から、伝送路を介して、ハイダイナミックレンジ画像を表示するためのハイダイナミックレンジ画像データを受信するデータ受信部と、
上記外部機器から、上記データ受信部で受信されるハイダイナミックレンジ画像データの伝送方式情報および/またはガンマ補正情報を受信する情報受信部と、
上記情報受信部で受信された伝送方式情報および/またはガンマ補正情報に基づいて、上記データ受信部で受信されたハイダイナミックレンジ画像データを処理するデータ処理部とを備える
受信装置にある。
【００２１】
本技術において、データ受信部により、外部機器から、伝送路を介して、ハイダイナミックレンジ画像を表示するためのハイダイナミックレンジ画像データが受信される。例えば、データ受信部は、外部機器から、差動信号により、伝送路を介して、ハイダイナミックレンジ画像データを受信する、ようにされてもよい。
【００２２】
例えば、ハイダイナミックレンジ画像データは、第１のデータおよび第２のデータを含み、データ送受信部は、立体画像用に規定された映像フォーマットで構成された、第１のデータおよび第２のデータを外部機器から伝送路を介して受信する、ようにされてもよい。また、例えば、ハイダイナミックレンジ画像データは、第１のデータおよび第２のデータを含み、データ送受信部は、第１のデータで構成される第１のフレーム画像と、第２のデータで構成される第２のフレーム画像を外部機器から伝送路を介して受信する、ようにされてもよい。
【００２３】
例えば、ハイダイナミックレンジ画像データは、第１のデータおよび第２のデータを含み、第１のデータはハイダイナミックレンジ画像の下位８ビットデータであると共に、第２のデータはハイダイナミックレンジ画像の上位ビットデータであるか、あるいは、第１のデータはハイダイナミックレンジ画像データの上位８ビットデータであると共に、第２のデータはハイダイナミックレンジ画像データの下位ビットデータである、ようにされてもよい。
【００２４】
情報受信部により、外部機器から、データ受信部で受信されるハイダイナミックレンジ画像データの伝送方式情報および/またはガンマ補正情報が受信される。そして、データ処理部により、情報受信部で受信された伝送方式情報および/またはガンマ補正情報に基づいて、データ受信部で受信されたハイダイナミックレンジ画像データが処理される。
【００２５】
例えば、情報受信部は、データ受信部で受信されたハイダイナミックレンジ画像データのブランキング期間から、このハイダイナミックレンジ画像データの伝送方式情報および/またはガンマ補正情報を抽出する、ようにされてもよい。また、例えば、情報受信部は、データ受信部で受信された上記ハイダイナミックレンジ画像データの伝送方式情報および/またはガンマ補正情報を、外部機器から、伝送路を構成する制御データラインを介して受信する、ようにされてもよい。
【００２６】
また、例えば、情報受信部は、上記データ受信部で受信されたハイダイナミックレンジ画像データの伝送方式情報および/またはガンマ補正情報を、外部機器から、伝送路の所定ラインを用いて構成される双方向通信路を介して受信する、ようにされてもよい。そして、この場合、双方向通信路は一対の差動伝送路であり、この一対の差動伝送路のうち少なくとも一方は直流バイアス電位によって外部機器に接続状態を通知する機能を有する、ようにされてもよい。
【００２７】
このように本技術においては、送信側から送られてくるハイダイナミックレンジ画像データを同様に送信側から送られてくる伝送方式情報および/またはガンマ補正情報に基づいて処理するものであり、受信されたハイダイナミックレンジ画像データに対して適切な処理を容易に行うことができる。
【００２８】
なお、本技術において、例えば、省エネルギーモードが選択されている場合、外部機器から送信されるハイダイナミックレンジ画像データの伝送方式情報を情報受信部で受信した際、表示部に省エネルギーモードを解除するかどうかの表示を行う表示制御部をさらに備える、ようにされてもよい。これにより、省エネルギーモードを解除するかどうかのユーザ意思を確認することが可能となる。
【００２９】
また、本技術において、例えば、自身が対応可能なハイダイナミックレンジ画像データの伝送方式情報および/またはガンマ補正方式情報を記憶しておく情報記憶部と、この情報記憶部に記憶されている伝送方式情報および/またはガンマ補正方式情報を、伝送路を介して外部機器に送信する情報送信部とをさらに備える、ようにされてもよい。このように自身が対応可能なハイダイナミックレンジ画像データの伝送方式情報および/、またはガンマ補正方式情報を送信側に送ることで、送信側から自身が対応可能な伝送方式および/またはガンマ補正方式のハイダイナミックレンジ画像データを送ってもらうことが可能となる。
【００３０】
例えば、情報記憶部は、表示可能な最大輝度情報、ハイダイナミックレンジ処理可能な最大伸長輝度レベル情報、伸長処理禁止フラグの少なくとも１つをさらに記憶している、ようにされてもよい。
【００３１】
また、例えば、情報記憶部は、伸長処理禁止フラグを記憶しており、省エネルギーモードが選択された場合に、情報記憶部に記憶している伸長処理禁止フラグを無効に書き換える記憶制御部をさらに備える、ようにされてもよい。また、例えば、情報記憶部は、表示可能な最大輝度情報およびハイダイナミックレンジ処理可能な最大伸長輝度レベル情報を記憶しており、省エネルギーモードが選択された場合に、情報記憶部に記憶している表示可能な最大輝度情報およびハイダイナミックレンジ処理可能な最大伸長輝度レベル情報を書き換える記憶制御部をさらに備える、ようにされてもよい。
【発明の効果】
【００３２】
本技術によれば、機器間におけるハイダイナミックレンジ画像データの伝送を良好に行うことができる。なお、本明細書に記載された効果はあくまで例示であって限定されるものではなく、また付加的な効果があってもよい。
【図面の簡単な説明】
【００３３】
【図１】実施の形態としてのＡＶシステムの構成例を示すブロック図である。
【図２】ディスクプレーヤのＨＤＭＩ送信部と、テレビ受信機のＨＤＭＩ受信部の構成例を示すブロック図である。
【図３】ＴＭＤＳチャネル＃０，＃１，＃２において、横×縦が１９２０ピクセル×１０８０ラインの画像データが伝送される場合の、各種の伝送データの区間を示す図である。
【図４】従来の８ビット伝送方式を説明するための図である。
【図５】ＡＶシステムを構成するディスクプレーヤ（ソース機器）の構成例を示すブロック図である。
【図６】ＡＶシステムを構成するテレビ受信機（シンク機器）の構成例を示すブロック図である。
【図７】ディープカラー（Deep Color）の伝送フォーマットを用いてＨＤＲ画像データを伝送する伝送方式（１）を説明するための図である。
【図８】立体映像フォーマットを用いてＨＤＲ画像データを伝送する伝送方式（２）を説明するための図である。
【図９】ハイフレームレート映像フォーマットを用いてＨＤＲ画像データを伝送する伝送方式（３）を説明するための図である。
【図１０】Ｖｅｎｄｏｒ  Ｓｐｅｃｉｆｉｃ  ＩｎｆｏＦｒａｍｅパケットで伝送されるＨＤＲ情報（１）を説明するための図である。
【図１１】Ｖｅｎｄｏｒ  Ｓｐｅｃｉｆｉｃ  ＩｎｆｏＦｒａｍｅパケットで伝送されるＨＤＲ情報（２）を説明するための図である。
【図１２】Ｖｅｎｄｏｒ  Ｓｐｅｃｉｆｉｃ  ＩｎｆｏＦｒａｍｅパケットで伝送されるＨＤＲ情報（３）を説明するための図である。
【図１３】シンク機器（テレビ受信機）に記憶されているＥ−ＥＤＩＤのデータ構造例を示す図である。
【図１４】Ｅ−ＥＤＩＤのＶｅｎｄｅｒ  Ｓｐｅｃｉｆｉｃ領域のデータ構造例を示す図である。
【図１５】ＨＤＭＩのＶｅｎｄｏｒ Ｓｐｅｃｉｆｉｃ ＩｎｆｏＦｒａｍｅパケットのデータ構造例を示す図である。
【図１６】Ｖｅｎｄｏｒ  Ｓｐｅｃｉｆｉｃ  ＩｎｆｏＦｒａｍｅパケットで伝送されるガンマ補正方式（１）のデータ構造例を示す図である。
【図１７】Ｖｅｎｄｏｒ  Ｓｐｅｃｉｆｉｃ  ＩｎｆｏＦｒａｍｅパケットで伝送されるガンマ補正方式（２）のデータ構造例を示す図である。
【図１８】Ｖｅｎｄｏｒ  Ｓｐｅｃｉｆｉｃ  ＩｎｆｏＦｒａｍｅパケットで伝送されるガンマ補正方式（３）のデータ構造例を示す図である。
【図１９】機器接続時のソース機器（ディスクプレーヤ）の処理例を示すフローチャートである。
【図２０】ソース機器（ディスクプレーヤ）でのＨＤＲ伝送方式の選択処理例を示すフローチャートである。
【図２１】ソース機器（ディスクプレーヤ）でのＨＤＲ伝送方式の選択処理例を示すフローチャート（続き）である。
【図２２】シンク機器（テレビ受信機）の省エネモード設定時の処理例を示すフローチャートである。
【図２３】シンク機器（テレビ受信機）の省エネルギーモード解除の処理例を示すフローチャートである。
【図２４】ＤＰインタフェースを用いたＤＰシステムの構成例を示すブロック図である。
【図２５】ＡＵＸチャネルでＨＤＲ画像データの伝送方式情報およびガンマ補正方式情報の伝送を行う場合のパケット構造例などを示す図である。
【図２６】ＭＨＬインタフェースを用いたＭＨＬシステムの構成例を示すブロック図である。
【図２７】ＣＢＵＳパケットフォーマットを示す図である。
【図２８】ＣＢＵＳ/ｅＣＢＵＳラインにおけるＨＤＲ画像データの伝送方式情報およびガンマ補正情報の伝送を行うときのＣＢＵＳパケットフォーマットを示す図である。
【発明を実施するための形態】
【００３４】
以下、発明を実施するための形態（以下、「実施の形態」とする）について説明する。なお、説明を以下の順序で行う。
１．実施の形態
２．変形例
【００３５】
＜１．実施の形態＞
［ＡＶシステムの構成例］
図１は、実施の形態としてのＡＶ（Audio Visual）システム１０の構成例を示している。このＡＶシステム１０は、ソース機器としてのディスクプレーヤ１１と、シンク機器としてのテレビ受信機１２とを有している。ディスクプレーヤ１１およびテレビ受信機１２は、伝送路としてのＨＤＭＩケーブル１３を介して接続されている。
【００３６】
ディスクプレーヤ１１には、ＨＤＭＩ送信部（ＨＤＭＩＴＸ）１１ｂおよび高速バスインタフェース（高速バスＩ/Ｆ）１１ｃが接続されたＨＤＭＩ端子１１ａが設けられている。テレビ受信機１２には、ＨＤＭＩ受信部（ＨＤＭＩ ＲＸ）１２ｂおよび高速バスインタフェース（高速バスＩ/Ｆ）１２ｃが接続されたＨＤＭＩ端子１２ａが設けられている。ＨＤＭＩケーブル１３の一端はディスクプレーヤ１１のＨＤＭＩ端子１１ａに接続され、このＨＤＭＩケーブル１３の他端はテレビ受信機１２のＨＤＭＩ端子１２ａに接続されている。
【００３７】
図１に示すＡＶシステム１０において、ディスクプレーヤ１１で再生されて得られた非圧縮の画像データはＨＤＭＩケーブル１３を介してテレビ受信機１２に送信され、このテレビ受信機１２ではディスクプレーヤ１１から送信された画像データによる画像が表示される。また、ディスクプレーヤ１１で再生されて得られた非圧縮の音声データはＨＤＭＩケーブル１３を介してテレビ受信機１２に送信され、このテレビ受信機１２ではディスクプレーヤ１１から送信された音声データによる音声が出力される。
【００３８】
図２は、図１のＡＶシステム１０における、ディスクプレーヤ１１のＨＤＭＩ送信部１１ｂと、テレビ受信機１２のＨＤＭＩ受信部１２ｂの構成例を示している。ＨＤＭＩ送信部１１ｂは、一の垂直同期信号から次の垂直同期信号までの区間から、水平帰線区間１５および垂直帰線区間１６を除いた区間である有効画像区間１４（以下、適宜、アクティブビデオ区間ともいう）（図３参照）において、非圧縮の１画面分の画像の画素データに対応する差動信号を、複数のチャネルで、ＨＤＭＩ受信部１２ｂに一方向に送信する。また、ＨＤＭＩ送信部１１ｂは、水平帰線区間１５または垂直帰線区間１６において、少なくとも画像に付随する音声データや制御データ、その他の補助データ等に対応する差動信号を、複数のチャネルで、ＨＤＭＩ受信部１２ｂに一方向に送信する。
【００３９】
すなわち、ＨＤＭＩ送信部１１ｂは、ＨＤＭＩトランスミッタ２１を有する。トランスミッタ２１は、例えば、非圧縮の画像の画素データを対応する差動信号に変換し、複数のチャネルである３つのＴＭＤＳ（Transition Minimized Differential Signaling）チャネル＃０，＃１，＃２で、ＨＤＭＩ受信部１２ｂに、一方向にシリアル伝送する。
【００４０】
また、トランスミッタ２１は、非圧縮の画像に付随する音声データ、さらには、必要な制御データその他の補助データ等を、対応する差動信号に変換し、３つのＴＭＤＳチャネル＃０，＃１，＃２で、ＨＤＭＩ受信部１２ｂに一方向にシリアル伝送する。さらに、トランスミッタ２１は、３つのＴＭＤＳチャネル＃０，＃１，＃２で送信する画素データに同期したピクセルクロックを、ＴＭＤＳクロックチャネルで、ＨＤＭＩ受信部１２ｂに送信する。ここで、１つのＴＭＤＳチャネル＃ｉ（ｉ＝０，１，２）では、ピクセルクロックの１クロックの間に、１０ビットの画素データが送信される。
【００４１】
ＨＤＭＩ受信部１２ｂは、アクティブビデオ区間１４（図３参照）において、複数のチャネルで、ＨＤＭＩ送信部１１ｂから一方向に送信されてくる、画素データに対応する差動信号を受信する。また、ＨＤＭＩ受信部１２ｂは、水平帰線区間１５（図３参照）または垂直帰線区間１６（図３参照）において、複数のチャネルで、ＨＤＭＩ送信部１１ｂから一方向に送信されてくる、音声データや制御データに対応する差動信号を受信する。
【００４２】
すなわち、ＨＤＭＩ受信部１２ｂは、ＨＤＭＩレシーバ２２を有する。レシーバ２２は、ＴＭＤＳチャネル＃０，＃１，＃２で、ＨＤＭＩケーブル１３を介して接続されているＨＤＭＩ送信部１１ｂから一方向に送信されてくる、画素データに対応する差動信号と、音声データや制御データに対応する差動信号を、受信する。この際、同じくＨＤＭＩ送信部１１ｂからＴＭＤＳクロックチャネルで送信されてくるピクセルクロックに同期して受信する。
【００４３】
ＨＤＭＩソース送信部１１ｂとＨＤＭＩ受信部１２ｂとからなるＨＤＭＩシステムの伝送チャネルには、画素データおよび音声データを伝送するための伝送チャネルとしての３つのＴＭＤＳチャネル＃０乃至＃２と、ピクセルクロックを伝送する伝送チャネルとしてのＴＭＤＳクロックチャネルの他に、ＤＤＣ（Display Data Channel）２３やＣＥＣ（Consumer Electronics Control）ライン２４と呼ばれる伝送チャネルがある。
【００４４】
ＤＤＣ２３は、ＨＤＭＩケーブル１３に含まれる２本の信号線からなり、ＨＤＭＩ送信部１１ｂが、ＨＤＭＩケーブル１３を介して接続されたＨＤＭＩ受信部１２ｂから、Ｅ−ＥＤＩＤ（Enhanced Extended Display Identification Data）を読み出すために使用される。すなわち、ＨＤＭＩ受信部１２ｂは、ＨＤＭＩレシーバ２２の他に、自身の性能（Configuration・Capability）に関する性能情報であるＥ−ＥＤＩＤを記憶している、ＥＤＩＤ  ＲＯＭ（Read Only Memory）を有している。
【００４５】
ＨＤＭＩ送信部１１ｂは、ＨＤＭＩケーブル１３を介して接続されているＨＤＭＩ受信部１２ｂから、当該ＨＤＭＩ受信部１２ｂのＥ−ＥＤＩＤを、ＤＤＣ２３を介して読み出す。そして、ＨＤＭＩ送信部１１ｂは、そのＥ−ＥＤＩＤに基づき、ＨＤＭＩ受信部１２ｂの性能の設定、すなわち、例えば、ＨＤＭＩ受信部１２ｂを有する電子機器が対応している画像のフォーマット（プロファイル）、例えば、ＲＧＢ、ＹＣｂＣｒ４：４：４、ＹＣｂＣｒ４：２：２等を認識する。
【００４６】
ＣＥＣライン２４は、ＨＤＭＩケーブル１３に含まれる１本の信号線からなり、ＨＤＭＩ送信部１１ｂとＨＤＭＩ受信部１２ｂとの間で、制御用のデータの双方向通信を行うために用いられる。また、ＨＤＭＩケーブル１３には、ＨＰＤ（Hot Plug Detect）と呼ばれるピンに接続されるライン（ＨＰＤライン）２５が含まれている。
【００４７】
ソース機器は、このライン２５を利用して、直流バイアス電位により、シンク機器の接続を検出することができる。この場合、ＨＰＤラインは、ソース機器側から見ると、直流バイアス電位によってシンク機器から接続状態の通知を受ける機能を有するものとなる。一方、このＨＰＤラインは、シンク機器側から見ると、直流バイアス電位によってソース機器に接続状態を通知する機能を有するものとなる。
【００４８】
また、ＨＤＭＩケーブル１３には、ソース機器からシンク機器に電源を供給するために用いられるライン（電源ライン）２６が含まれている。さらに、ＨＤＭＩケーブル１３には、リザーブライン２７が含まれている。ＨＰＤライン２５とリザーブライン２７を用いて、一対の差動伝送路を構成し、双方向通信路として用いる場合もある。
【００４９】
図３は、ＴＭＤＳチャネル＃０，＃１，＃２において、横×縦が１９２０ピクセル×１０８０ラインの画像データが伝送される場合の、各種の伝送データの区間を示している。ＨＤＭＩの３つのＴＭＤＳチャネル＃０，＃１，＃２で伝送データが伝送されるビデオフィールド（Video Field）には、伝送データの種類に応じて、ビデオデータ区間１７（Video Data Period）、データアイランド区間１８（Data Island Period）、およびコントロール区間１９（Control Period）の３種類の区間が存在する。
【００５０】
ここで、ビデオフィールド区間は、ある垂直同期信号の立ち上がりエッジ（Active Edge）から次の垂直同期信号の立ち上がりエッジまでの区間であり、水平帰線期間１５（Horizontal Blanking）、垂直帰線期間１６（Vertical Blanking）、並びに、ビデオフィールド区間から、水平帰線期間および垂直帰線期間を除いた区間である有効画素区間１４（Active Video）に分けられる。
【００５１】
ビデオデータ区間１７は、有効画素区間１４に割り当てられる。このビデオデータ区間１７では、非圧縮の１画面分の画像データを構成する１９２０ピクセル（画素）×１０８０ライン分の有効画素（Active Pixel）のデータが伝送される。データアイランド区間１８およびコントロール区間１９は、水平帰線期間１５および垂直帰線期間１６に割り当てられる。このデータアイランド区間１８およびコントロール区間１９では、補助データ（Auxiliary Data）が伝送される。
【００５２】
すなわち、データアイランド区間１８は、水平帰線期間１５と垂直帰線期間１６の一部分に割り当てられている。このデータアイランド区間１８では、補助データのうち、制御に関係しないデータである、例えば、音声データのパケット等が伝送される。コントロール区間１９は、水平帰線期間１５と垂直帰線期間１６の他の部分に割り当てられている。このコントロール区間１９では、補助データのうちの、制御に関係するデータである、例えば、垂直同期信号および水平同期信号、制御パケット等が伝送される。
【００５３】
この実施の形態において、ディクスプレーヤ１１は、テレビ受信機１２から、ＨＤＭＩケーブル１３を介して、このテレビ受信機１２が対応可能なハイダイナミックレンジ画像データの伝送方式情報およびガンマ補正方式情報を受信する。以下、ハイダイナミックレンジを適宜「ＨＤＲ」と略記する。この場合、テレビ受信機１２は、自身が対応するＨＤＲ画像データの伝送方式情報およびガンマ補正方式情報を記憶部に記憶しており、この伝送方式情報およびガンマ補正方式情報を、ＨＤＭＩケーブル１３を介してディスクプレーヤ１１に送信する。なお、従来は、ＨＤＲ画像の伝送仕様がなく、メーカー間での互換性がなかった。
【００５４】
ディスクプレーヤ１１は、テレビ受信機１２から受信した伝送方式情報およびガンマ補正方式情報に基づいて、テレビ受信機が対応可能なＨＤＲ画像データの伝送方式から所定の伝送方式およびガンマ補正方式を選択する。この場合、ディスクプレーヤ１１は、例えば、テレビ受信機１２が対応可能なＨＤＲ画像データの伝送方式およびガンマ補正方式が複数ある場合には、最も画質劣化の少ない伝送方式および最も近似が容易なガンマ補正方式を選択する。
【００５５】
ディスクプレーヤ１１は、選択した伝送方式およびガンマ補正方式のＨＤＲ画像データを、ＨＤＭＩケーブル１３を介してテレビ受信機１２に送信する。この際、ディスクプレーヤ１１は、送信するＨＤＲ画像データの伝送方式情報およびガンマ補正情報を、ＨＤＭＩケーブル１３を介してテレビ受信機１２に送信する。
【００５６】
テレビ受信機１２は、ディクスプレーヤ１１から、ＨＤＭＩケーブル１３を介して、ＨＤＲ画像データを受信すると共に、その伝送方式情報およびガンマ補正情報を受信する。テレビ受信機１２は、受信したＨＤＲ画像データを、受信した伝送方式情報およびガンマ補正情報に基づいて処理し、表示用のＨＤＲ画像データを生成する。自然界の物体の最大輝度は２０００ｃｄ/ｍ２ 以上にも達する。
【００５７】
従来、例えば、ディスクプレーヤに記録されている画像データは最大輝度１００ｃｄ/ｍ２ という仕様の表示装置で表示されることを想定して輝度調整されている。つまり、従来は、自然界の輝度値に比べて画像データでは輝度が大幅に圧縮されている。また、表示装置の最大輝度が従来の１００ｃｄ/ｍ２を超えて１０００ｃｄ/ｍ２ 程度のものが実用化されている。元々１００ｃｄ/ｍ２ で調整された画像データを表示装置で１０００ｃｄ/ｍ２ に合わせて輝度値を上げる処理を行うと画質に問題が生じる。
【００５８】
ＨＤＲ画像は、白レベル輝度１００％以上の高輝度の画像を表現するために提案されている。通常の白レベル輝度１００％は８ビットシステムではビット値が２３５または２５５で表現される。白レベル輝度１００％を超える輝度を表現するためには階調８ビット以上のビット数が必要になる。つまり、ＨＤＲ画像データは、１０ビット、１２ビット、１６ビットなどの画像データとなる。
【００５９】
図４は、従来の８ビット伝送方式の概念図を示している。図４(ａ)は、元の１０ビットのＨＤＲ画像データの輝度レベルとそのときのビット値の一例を示している。図４（ｂ）は、１０ビットのＨＤＲ画像データを８ビット伝送方式で伝送するために変換された８ビットの画像データの輝度レベルとそのときのビット値の一例を示している。この場合、輝度レベル１００％を８ビット値の「２３５」に割り当てるため、輝度２００％は８ビット値の最大値である「２５５」となり、輝度圧縮が行われ、輝度１０８％を超える情報が失われる。
【００６０】
［ディスクプレーヤの構成例］
図５は、ディスクプレーヤ１１の構成例を示している。このディスクプレーヤ１１は、ＨＤＭＩ端子１１ａと、ＨＤＭＩ送信部１１ｂと、高速バスインタフェース１１ｃを有している。また、このディスクプレーヤ１１は、ＣＰＵ（Central Processing Unit）１０４と、内部バス１０５と、フラッシュＲＯＭ（Read Only Memory）１０６と、ＳＤＲＡＭ（Synchronous Random Access Memory）１０７と、リモコン受信部１０８と、リモコン送信機１０９を有している。
【００６１】
また、ディスクプレーヤ１１は、ＳＡＴＡ（Serial Advanced Technology Attachment）インタフェース１１０と、ＢＤ(Blu-Ray Disc)ドライブ１１１と、イーサネットインタフェース（Ethernet I/F）１１２と、ネットワーク端子１１３を有している。また、ディスクプレーヤ１１は、ＭＰＥＧ(Moving Picture Expert Group)デコーダ１１５と、グラフィック生成回路１１６と、映像出力端子１１７と、音声出力端子１１８と、ＨＤＲ処理回路１１４を有している。
【００６２】
また、ディスクプレーヤ１１は、表示制御部１２１と、パネル駆動回路１２２と、表示パネル１２３と、電源部１２４を有していてもよい。なお、「イーサネット」および「Ｅｔｈｅｒｎｅｔ」は登録商標である。高速バスインタフェース１１ｃ、ＣＰＵ１０４、フラッシュＲＯＭ１０６、ＳＤＲＡＭ１０７、リモコン受信部１０８、ＳＡＴＡインタフェース１１０、イーサネットインタフェース１１２およびＭＰＥＧデコーダ１１５は、内部バス１０５に接続されている。
【００６３】
ＣＰＵ１０４は、ディスクプレーヤ１１の各部の動作を制御する。フラッシュＲＯＭ１０６は、制御ソフトウェアの格納およびデータの保管を行う。ＳＤＲＡＭ１０７は、ＣＰＵ１０４のワークエリアを構成する。ＣＰＵ１０４は、フラッシュＲＯＭ１０６から読み出したソフトウェアやデータをＳＤＲＡＭ１０７上に展開してソフトウェアを起動させ、ディスクプレーヤ１１の各部を制御する。
【００６４】
リモコン受信部１０８は、リモコン送信機１０９から送信されたリモーコントロール信号（リモコンコード）を受信し、ＣＰＵ１０４に供給する。ＣＰＵ１０４は、リモコンコードに従ってディスクプレーヤ１１の各部を制御する。なお、この実施の形態では、ユーザ指示入力部としてリモートコントロール部を示しているが、ユーザ指示入力部は、その他の構成、例えば、スイッチ、ホイール、近接/タッチにより指示入力を行うタッチパネル部、マウス、キーボード、カメラで指示入力を検出するジェスチャ入力部、音声により指示入力を行う音声入力部などであってもよい。
【００６５】
ＢＤドライブ１０１は、ディスク状記録メディアとしてのＢＤディスク（図示せず）に対して、コンテンツデータを記録し、あるいは、このＢＤからコンテンツデータを再生する。このＢＤドライブ１１１は、ＳＡＴＡインタフェース１１０を介して内部バス１０５に接続されている。ＭＰＥＧデコーダ１１５は、ＢＤドライブ１１１で再生されたＭＰＥＧ２ストリームに対してデコード処理を行って画像および音声のデータを得る。
【００６６】
グラフィック生成回路１１６は、ＭＰＥＧデコーダ１１５で得られた画像データに対して、必要に応じてグラフィックスデータの重畳処理等を行う。映像出力端子１１７は、グラフィック生成回路１１６から出力される画像データを出力する。音声出力端子１１８は、ＭＰＥＧデコーダ１１５で得られた音声データを出力する。
【００６７】
パネル駆動回路１２２は、グラフィック生成回路２６０から出力される映像（画像）データに基づいて、表示パネル１２３を駆動する。表示制御部１２１は、グラフィクス生成回路１１６やパネル駆動回路１２２を制御して、表示パネル１２３における表示を制御する。表示パネル１２３は、例えば、ＬＣＤ(Liquid Crystal Display)、ＰＤＰ(Plasma Display Panel)有機ＥＬ（Organic Electro-Luminescence）パネル等で構成されている。
【００６８】
なお、この実施の形態では、ＣＰＵ１０４の他に表示制御部１２１を有する例を示しているが、表示パネル１２３における表示をＣＰＵ１０４が直接制御するようにしてもよい。また、ＣＰＵ１０４と表示制御部１２１は、１つのチップになっていても、複数コアであってもよい。電源部１２４は、ディスクプレーヤ１１の各部に電源を供給する。この電源部１２４は、ＡＣ電源であっても、電池（蓄電池、乾電池）であってもよい。
【００６９】
ＨＤＭＩ送信部（ＨＤＭＩソース）１１ｂは、ＨＤＭＩに準拠した通信により、ベースバンドの画像（映像）と音声のデータを、ＨＤＭＩ端子１１ａから送出する。高速バスインインタフェース１１ｃは、ＨＤＭＩケーブル１３を構成する所定ライン（この実施の形態においては、リザーブライン、ＨＰＤライン）を用いて構成される双方向通信路のインタフェースである。
【００７０】
この高速バスインタフェース１１ｃは、イーサネットインタフェース１１２とＨＤＭＩ端子１０１との間に挿入されている。この高速バスインタフェース１１ｃは、ＣＰＵ１０４から供給される送信データを、ＨＤＭＩ端子１０１からＨＤＭＩケーブル１３を介して相手側の機器に送信する。また、この高速バスインタフェース１１ｃは、ＨＤＭＩケーブル１３からＨＤＭＩ端子１１ａを介して相手側の機器から受信された受信データをＣＰＵ１０４に供給する。
【００７１】
ＨＤＲ処理回路１１４は、ＭＰＥＧデコーダ１１５で得られた画像データのうち、ＨＤＲ画像を表示するためのＨＤＲ画像データをＨＤＭＩのＴＭＤＳチャネルで送信する際に、このＨＤＲ画像データを伝送方式に応じた状態に加工処理する。ここで、ＨＤＲ画像データは、例えば、ディープカラー（Deep Color）の画像フォーマットに準じて構成されるか、あるいは立体画像データフォーマットに準じて構成されるか、あるいはハイフレームレート画像フォーマットに準じて構成される。ＨＤＲ処理回路１１４とＨＤＭＩ送信部１１ｂは、１つのチップになっていても、複数コアであってもよい。ＨＤＲ画像データの伝送方式の種類、伝送方式の選択、各方式のパッキングフォーマット等の詳細は後述する。
【００７２】
図５に示すディスクプレーヤ１１の動作を簡単に説明する。記録時には、図示されないデジタルチューナを介して、あるいはネットワーク端子１１３からイーサネットインタフェース１１２を介して、あるいはＨＤＭＩ端子１１ａから高速バスインタフェース１１ｃを介して、記録すべきコンテンツデータが取得される。このコンテンツデータは、ＳＡＴＡインタフェース１１０に入力され、ＢＤドライブ１１１によりＢＤに記録される。場合によっては、このコンテンツデータは、ＳＡＴＡインタフェース１１０に接続された、図示されないＨＤＤ（ハードディスクドライブ）に記録されてもよい。
【００７３】
再生時には、ＢＤドライブ１１１によりＢＤから再生されたコンテンツデータ（ＭＰＥＧストリーム）は、ＳＡＴＡインタフェース１１０を介してＭＰＥＧデコーダ１１５に供給される。ＭＰＥＧデコーダ１１５では、再生されたコンテンツデータに対してデコード処理が行われ、ベースバンドの画像および音声のデータが得られる。画像データは、グラフィック生成回路１１６を通じて映像出力端子１１７に出力される。また、音声データは、音声出力端子１１８に出力される。
【００７４】
また、再生時には、ＭＰＥＧデコーダ１１５で得られた画像データが、ユーザ操作に応じて、グラフィック生成回路１１６を通じてパネル駆動回路１２２に供給され、表示パネル１２３に再生画像が表示される。また、ＭＰＥＧデコーダ１１５で得られた音声データが、ユーザ操作に応じて、図示しないスピーカに供給され、再生画像に対応した音声が出力される。
【００７５】
また、この再生時に、ＭＰＥＧデコーダ１１５で得られた画像および音声のデータをＨＤＭＩのＴＭＤＳチャネルで送信する場合には、これら画像および音声のデータは、ＨＤＭＩ送信部１１ｂに供給されてパッキングされ、このＨＤＭＩ送信部１１ｂからＨＤＭＩ端子１１ａに出力される。
【００７６】
なお、画像データがＨＤＲ画像データである場合には、このＨＤＲ画像データは、ＨＤＲ処理回路１１４により、選択された伝送方式に応じた状態に加工処理された後に、ＨＤＭＩ送信部１１ｂに供給される。また、再生時に、ＢＤドライブ１１１で再生されたコンテンツデータをネットワークに送出する際には、このコンテンツデータは、イーサネットインタフェース１１２を介して、ネットワーク端子１１３に出力される。同様に、再生時に、ＢＤドライブ１１１で再生されたコンテンツデータをＨＤＭＩケーブル１３の双方向通信路に送出する際には、当該コンテンツデータは、高速バスインタフェース１１ｃを介して、ＨＤＭＩ端子１１ａに出力される。ここで、画像データを出力する前に、著作権保護技術、例えばＨＤＣＰ、ＤＴＣＰ、ＤＴＣＰ＋などを用いて暗号化してから伝送してもよい。
【００７７】
［テレビ受信機の構成例］
図６は、テレビ受信機１２の構成例を示している。このテレビ受信機１２は、ＨＤＭＩ端子１２ａと、ＨＤＭＩ受信部１２ｂと、高速バスインタフェース１２ｃと、ＨＤＲ処理回路２０４とを有している。また、テレビ受信機１２は、アンテナ端子２０５と、デジタルチューナ２０６と、ＭＰＥＧデコーダ２０７と、映像信号処理回路２０８と、グラフィック生成回路２０９と、パネル駆動回路２１０と、表示パネル２１１とを有している。
【００７８】
また、テレビ受信機１２は、音声信号処理回路２１２と、音声増幅回路２１３と、スピーカ２１４と、内部バス２２０と、ＣＰＵ２２１と、フラッシュＲＯＭ２２２と、ＳＤＲＡＭ（Synchronous Random Access Memory）２２３とを有している。また、テレビ受信機１２は、イーサネットインタフェース（Ethernet I/F）２２４と、ネットワーク端子２２５と、リモコン受信部２２６と、リモコン送信機２２７とを有している。また、テレビ受信機１２は、表示制御部２３１と、電源部２３２を有している。なお、「イーサネット」および「Ｅｔｈｅｒｎｅｔ」は登録商標である。
【００７９】
アンテナ端子２０５は、受信アンテナ（図示せず）で受信されたテレビ放送信号を入力する端子である。デジタルチューナ２０６は、アンテナ端子２０５に入力されたテレビ放送信号を処理して、ユーザの選択チャネルに対応した所定のトランスポートストリームから、パーシャルＴＳ（Transport Stream）（映像データのＴＳパケット、音声データのＴＳパケット）を抽出する。
【００８０】
また、デジタルチューナ２０６は、得られたトランスポートストリームから、ＰＳＩ／ＳＩ（Program Specific Information／Service Information）を取り出し、ＣＰＵ２２１に出力する。デジタルチューナ２０６で得られた複数のトランスポートストリームから任意のチャネルのパーシャルＴＳを抽出する処理は、ＰＳＩ／ＳＩ（ＰＡＴ／ＰＭＴ）から当該任意のチャネルのパケットＩＤ（ＰＩＤ）の情報を得ることで可能となる。
【００８１】
ＭＰＥＧデコーダ２０７は、デジタルチューナ２０６で得られる映像データのＴＳパケットにより構成される映像ＰＥＳ（Packetized Elementary Stream）パケットに対してデコード処理を行って画像データを得る。また、ＭＰＥＧデコーダ２０７は、デジタルチューナ２０６で得られる音声データのＴＳパケットにより構成される音声ＰＥＳパケットに対してデコード処理を行って音声データを得る。
【００８２】
映像信号処理回路２０８およびグラフィック生成回路２０９は、ＭＰＥＧデコーダ２０７で得られた画像データ、あるいはＨＤＭＩ受信部２０２で受信された画像データに対して、必要に応じてスケーリング処理（解像度変換処理）、グラフィックスデータの重畳処理、ＨＤＲ画像データのガンマ補正等を行う。
【００８３】
パネル駆動回路２１０は、グラフィック生成回路２０９から出力される映像（画像）データに基づいて、表示パネル２１１を駆動する。表示制御部２３１は、グラフィクス生成回路２０９やパネル駆動回路２１０を制御して、表示パネル２１１における表示を制御する。表示パネル２１１は、例えば、ＬＣＤ(Liquid Crystal Display)、ＰＤＰ(Plasma Display Panel)、有機ＥＬ（Organic Electro-Luminescence）パネル等で構成されている。
【００８４】
なお、この実施の形態では、ＣＰＵ２２１の他に表示制御部２３１を有する例を示しているが、表示パネル２１１における表示をＣＰＵ２２１が直接制御するようにしてもよい。また、ＣＰＵ２２１と表示制御部２３１は、１つのチップになっていても、複数コアであってもよい。電源部２３２は、テレビ受信機１２の各部に電源を供給する。この電源部２３２は、ＡＣ電源であっても、電池（蓄電池、乾電池）であってもよい。
【００８５】
音声信号処理回路２１２はＭＰＥＧデコーダ２０７で得られた音声データに対してＤ／Ａ変換等の必要な処理を行う。音声増幅回路２１３は、音声信号処理回路２１２から出力される音声信号を増幅してスピーカ２１４に供給する。なお、スピーカ２１４は、モノラルでもステレオでもよい。また、スピーカ２１４は、１つでもよく、２つ以上でもよい。また、スピーカ２１４は、イヤホン、ヘッドホンでもよい。また、スピーカ２１４は、２．１チャネルや、５．１チャネルなどに対応するものであってもよい。また、スピーカ２１４は、テレビ受信機１２と無線で接続してもよい。また、スピーカ２１４は、他機器であってもよい。
【００８６】
ＣＰＵ２２１は、テレビ受信機１２の各部の動作を制御する。フラッシュＲＯＭ２２２は、制御ソフトウェアの格納およびデータの保管を行う。ＤＲＡＭ２２３は、ＣＰＵ２２１のワークエリアを構成する。ＣＰＵ２２１は、フラッシュＲＯＭ２２２から読み出したソフトウェアやデータをＳＤＲＡＭ２２３上に展開してソフトウェアを起動させ、テレビ受信機１２の各部を制御する。
【００８７】
リモコン受信部２２６は、リモコン送信機２２７から送信されたリモーコントロール信号（リモコンコード）を受信し、ＣＰＵ２２１に供給する。ＣＰＵ２２１は、このリモコンコードに基づいて、テレビ受信機１２の各部を制御する。なお、この実施の形態では、ユーザ指示入力部としてリモートコントロール部を示しているが、ユーザ指示入力部は、その他の構成、例えば、近接/タッチにより指示入力を行うタッチパネル部、マウス、キーボード、カメラで指示入力を検出するジェスチャ入力部、音声により指示入力を行う音声入力部などであってもよい。
【００８８】
ネットワーク端子２２５は、ネットワークに接続する端子であり、イーサネットインタフェース２２４に接続される。高速バスインタフェース１２ｃ、ＣＰＵ２２１、フラッシュＲＯＭ２２２、ＳＤＲＡＭ２２３、イーサネットインタフェース２２４、ＭＰＥＧデコーダ２０７および表示制御部２３１は、内部バス２２０に接続されている。
【００８９】
ＨＤＭＩ受信部（ＨＤＭＩシンク）１２ｂは、ＨＤＭＩに準拠した通信により、ＨＤＭＩケーブル１３を介してＨＤＭＩ端子１２ａに供給されるベースバンドの画像（映像）と音声のデータを受信する。高速バスインタフェース１２ｃは、上述したディスクプレーヤ１１の高速バスインタフェース１１ｃと同様に、ＨＤＭＩケーブル１３を構成する所定ライン（この実施の形態においては、リザーブライン、ＨＰＤライン）を用いて構成される双方向通信路のインタフェースである。
【００９０】
この高速バスインタフェース１２ｃは、イーサネットインタフェース２２４とＨＤＭＩ端子２０１との間に挿入されている。この高速バスインタフェース１２ｃは、ＣＰＵ２２１から供給される送信データを、ＨＤＭＩ端子１２ａからＨＤＭＩケーブル１３を介して相手側の機器に送信する。また、この高速バスインタフェース１２ｃは、ＨＤＭＩケーブル１３からＨＤＭＩ端子１２ａを介して相手側の機器から受信された受信データをＣＰＵ２２１に供給する。
【００９１】
ＨＤＲ処理回路２０４は、ＨＤＭＩ受信部２０２で受信された画像データが、ＨＤＲ画像データである場合には、そのＨＤＲ画像データに対して、伝送方式に対応した処理（デコード処理）を行って、ＨＤＲ画像データを生成する。すなわち、このＨＤＲ処理回路２０４は、上述したディスクプレーヤ１１のＨＤＲ処理回路１１４とは逆の処理を行って、ＨＤＲ画像データを構成するデータを取得する。ＨＤＲ処理回路２０４とＨＤＭＩ受信部２０２、またはＨＤＲ処理回路２０４と映像信号処理回路２０８は、１つのチップになっていても、複数コアであってもよい。
【００９２】
また、このＨＤＲ処理回路２０４は、ＨＤＲ画像の下位８ビットの画像データで構成される第１のデータおよびＨＤＲ画像の上位ビットの画像データで構成される第２のデータから、あるいはＨＤＲ画像の上位８ビットの画像データで構成される第１のデータおよびＨＤＲ画像の下位ビットの画像データで構成される第２のデータから、ＨＤＲ画像データを生成する演算を行う。
【００９３】
なお、例えば、受信されたコンテンツデータをネットワークに送出する際には、このコンテンツデータは、イーサネットインタフェース２２４を介して、ネットワーク端子２２５に出力される。同様に、受信されたコンテンツデータをＨＤＭＩケーブル１３の双方向通信路に送出する際には、当該コンテンツデータは、高速バスインタフェース１２ｃを介して、ＨＤＭＩ端子１１ａに出力される。ここで、画像データを出力する前に、著作権保護技術、例えばＨＤＣＰ、ＤＴＣＰ、ＤＴＣＰ＋などを用いて暗号化してから伝送してもよい。
【００９４】
図６に示すテレビ受信機１２の動作を簡単に説明する。アンテナ端子２０５に入力されたテレビ放送信号はデジタルチューナ２０６に供給される。このデジタルチューナ２０６では、テレビ放送信号を処理して、ユーザの選択チャネルに対応した所定のトランスポートストリームが出力され、トランスポートストリームから、パーシャルＴＳ（映像データのＴＳパケット、音声データのＴＳパケット）が抽出され、当該パーシャルＴＳはＭＰＥＧデコーダ２０７に供給される。
【００９５】
ＭＰＥＧデコーダ２０７では、映像データのＴＳパケットにより構成される映像ＰＥＳパケットに対してデコード処理が行われて映像データが得られる。この映像データは、映像信号処理回路２０８およびグラフィック生成回路２０９において、必要に応じて、スケーリング処理（解像度変換処理）、グラフィックスデータの重畳処理等が行われた後に、パネル駆動回路２１０に供給される。そのため、表示パネル２１１には、ユーザの選択チャネルに対応した画像が表示される。
【００９６】
また、ＭＰＥＧデコーダ２０７では、音声データのＴＳパケットにより構成される音声ＰＥＳパケットに対してデコード処理が行われて音声データが得られる。この音声データは、音声信号処理回路２１２でＤ／Ａ変換等の必要な処理が行われ、さらに、音声増幅回路２１３で増幅された後に、スピーカ２１４に供給される。そのため、スピーカ２１４から、ユーザの選択チャネルに対応した音声が出力される。
【００９７】
また、ネットワーク端子２２５からイーサネットインタフェース２２４に供給される、あるいは、ＨＤＭＩ端子１２ａから高速バスインタフェース１２ｃを介して供給されるコンテンツデータ（画像データ、音声データ）は、ＭＰＥＧデコーダ２０７に供給される。以降は、上述したテレビ放送信号の受信時と同様の動作となり、表示パネル２１１に画像が表示され、スピーカ２１４から音声が出力される。
【００９８】
また、ＨＤＭＩ受信部１２ｂでは、ＨＤＭＩ端子１２ａにＨＤＭＩケーブル１３を介して接続されているディスクプレーヤ１１から送信されてくる、画像データおよび音声データが取得される。画像データは、ＨＤＲ処理回路２０４を介して映像信号処理回路２０８に供給される。また、音声データは、直接、音声信号処理回路２１２に供給される。以降は、上述したテレビ放送信号の受信時と同様の動作となり、表示パネル２１１に画像が表示され、スピーカ２１４から音声が出力される。
【００９９】
なお、ＨＤＭＩ受信部１２ｂで受信された画像データがＨＤＲ画像データである場合には、ＨＤＲ処理回路２０４において、当該ＨＤＲ画像データに対して伝送方式に対応した処理（デコード処理）が行われ、ＨＤＲ画像データが生成される。そして、ＨＤＲ処理回路２０４から映像信号処理部２０８には、ＨＤＲ画像データが供給される。また、映像信号処理回路２０８では、ＨＤＲ画像データが供給される場合には、ＨＤＲ画像データに基づいて、ＨＤＲ画像を表示するための画像データが生成され、ＨＤＭＩ受信部１２ｂで受信したガンマ補正情報に基づきガンマ補正が行われる。そのため、表示パネル２１１には、ＨＤＲ画像が表示される。
【０１００】
［ＨＤＲ画像データの伝送方式］
次に、ＨＤＲ画像データの伝送方式について説明する。最初に、原信号のＨＤＲ画像データが、８ビット以上の画像データで構成される場合について説明する。ここでは、図７〜図９に示すように、ＨＤＲ画像データが、それぞれ、１９２０×１０８０ｐのピクセルフォーマットの画像データである場合を例にとって説明する。
【０１０１】
この原信号を、ベースバンドデジタルインタフェースで伝送する際、例えば、以下の３通りの伝送方式が考えられる。これらの方式は、原信号の品位を低下させることなく伝送が可能であることから、最も望ましい方式である。しかし、伝送帯域が１９２０×１０８０ｐの８ビットピクセルフォーマットの画像データの１．２倍以上必要となることから、伝送帯域に余裕がある際に可能となる。
【０１０２】
伝送方式（１）は、図７に示すように、ディープカラー（Deep Color）の伝送フォーマットを用いて伝送する方式である。この場合、画像フォーマットは１９２０×１０８０ｐのピクセルフォーマットを選択し、後述する“ＤＣ−４８ｂｉｔ”、“ＤＣ−３６ｂｉｔ”、および“ＤＣ−３０ｂｉｔ”のいずれかの１つの１ピクセル当たりのビット数を指定する情報および新たに定義するＨＤＲ伝送方式情報と共に伝送する。この場合、１ピクセルクロックで全てのピクセルデータは伝送できないため、ＨＤＲ処理回路１１４またはＨＤＭＩ送信部１１ｂにてピクセルマッピング処理が必要となる。
【０１０３】
伝送方式（２）は、図８に示すように、ＨＤＲ画像データの下位８ビット分を立体映像フォーマットの左眼画像データ領域へ配置し、ＨＤＲ画像データの残りの上位ビット分を立体映像フォーマットの右眼画像データ領域へ配置して伝送する方式である。この場合、映像フォーマットとして、１９２０×１０８０ｐのフレームパッキングという映像フォーマットを指定し、立体映像フォーマットの指定は行わず、新たに定義するＨＤＲ伝送方式情報と共に伝送する。この場合、ＨＤＲ処理回路１１４にて、下位８ビットの画像データと上位ビットの画像データのスライス処理および所定の立体映像フォーマットへのビットマッピング処理が必要となる。
【０１０４】
なお、上述では、ＨＤＲ画像データの残りの上位ビット分を立体映像フォーマットの右眼画像データ領域へ配置して伝送する旨を説明した。すなわち、ＨＤ画像データの残りの上位ビットは、ＨＤＲ画像データが１０ビット、１２ビット、１６ビットの画像データであるとき、それぞれ、２ビット、４ビット、８ビットとなる。この残りの上位ビットの代わりに、ＨＤＲ画像データの上位８ビット分を立体映像フォーマットの右眼画像データ領域へ配置して伝送することも考えられる。
【０１０５】
また、上述では、ＨＤＲ画像データの下位８ビット分を立体映像フォーマットの左眼画像データ領域へ配置し、ＨＤＲ画像データの残りの上位ビット分を立体映像フォーマットの右眼画像データ領域へ配置して伝送する旨を説明した。しかし、ＨＤＲ画像データの下位８ビット分を立体映像フォーマットの右眼画像データ領域へ配置し、ＨＤＲ画像データの残りの上位ビット分を立体映像フォーマットの左眼画像データ領域へ配置して伝送することも考えられる。
【０１０６】
また、上述では、ＨＤＲ画像データの下位８ビット分を立体映像フォーマットの左眼画像データ領域へ配置し、ＨＤＲ画像データの残りの上位ビット分を立体映像フォーマットの右眼画像データ領域へ配置して伝送する旨を説明した。しかし、ＨＤＲ画像データの上位８ビット分を立体映像フォーマットの左眼画像データ領域へ配置し、ＨＤＲ画像データの残りの下位ビット分を立体映像フォーマットの右眼画像データ領域へ配置して伝送することも考えられる。
【０１０７】
伝送方式（３）は、図９に示すように、ＨＤＲ画像データの下位８ビット分をハイフレームレートの第１フレーム画像データ領域へ配置し、ＨＤＲ画像データの残りの上位ビット分を第２フレーム画像データ領域へ配置して伝送する方式である。この場合、映像フォーマットとして、通常の１９２０×１０８０ｐのハイフレームレート映像フォーマットを指定し、新たに定義するＨＤＲ伝送方式情報と共に伝送する。この場合、ＨＤＲ処理回路１１４にて、下位８ビットの画像データと上位ビットの画像データのスライス処理および所定のハイフレームレート映像フォーマットへのビットマッピング処理が必要となる。
【０１０８】
なお、上述では、ＨＤＲ画像データの残りの上位ビット分を第２フレーム画像データ領域へ配置して伝送する旨を説明した。すなわち、ＨＤ画像データの残りの上位ビットは、ＨＤＲ画像データが１０ビット、１２ビット、１６ビットの画像データであるとき、それぞれ、２ビット、４ビット、８ビットとなる。この残りの上位ビットの代わりに、ＨＤＲ画像データの上位８ビット分を第２フレーム画像データ領域へ配置して伝送することも考えられる。
【０１０９】
また、上述では、ＨＤＲ画像データの下位８ビット分をハイフレームレートの第１フレーム画像データ領域へ配置し、ＨＤＲ画像データの残りの上位ビット分を第２フレーム画像データ領域へ配置して伝送する旨を説明した。しかし、ＤＲ画像データの下位８ビット分をハイフレームレートの第２フレーム画像データ領域へ配置し、ＨＤＲ画像データの残りの上位ビット分を第１フレーム画像データ領域へ配置して伝送することも考えられる。
【０１１０】
また、上述では、ＨＤＲ画像データの下位８ビット分をハイフレームレートの第１フレーム画像データ領域へ配置し、ＨＤＲ画像データの残りの上位ビット分を第２フレーム画像データ領域へ配置して伝送する旨を説明した。しかし、ＨＤＲ画像データの上位８ビット分をハイフレームレートの第１フレーム画像データ領域へ配置し、ＨＤＲ画像データの残りの下位ビット分を第２フレーム画像データ領域へ配置して伝送することも考えられる。
【０１１１】
なお、伝送方式（２）、（３）の場合、上述のテレビ受信機１２のＨＤＲ処理回路２０４は、立体映像フォーマットあるいはハイフレームレート映像フォーマットより、それぞれＨＤＲ画像データの下位８ビットと上位ビット、あるいは上位８ビットと下位ビットを分離抽出する処理を行う。
【０１１２】
［ＨＤＲ画像データのガンマ補正方式］
次に、ＨＤＲ画像データのガンマ補正方式について説明する。
【０１１３】
ガンマ補正方式（１）は、図１０に示すように、輝度１００％時の想定される表示パネル２１１の輝度レベルと、伝送されるＨＤＲ画像の最大輝度レベルと、輝度０％を表す画像データのビット値と、輝度１００％を表す画像データのビット値と、ＨＤＲ画像で表現される最大白レベルを表す画像データのビット値を指定することで、ガンマ補正カーブを近似することができ、この近似カーブに基づき画像補正を行うことで、想定されるＨＤＲ画像が表示できる。
【０１１４】
ガンマ補正方式（２）は、図１１に示すように、指定された輝度入力レベル時の想定される表示パネル２１１の出力輝度レベルと、伝送されるＨＤＲ画像の輝度ダイナミックレンジ値と、最大輝度レベルを指定することで、ガンマ補正カーブを近似することができ、この近似カーブに基づき画像補正を行うことで、想定されるＨＤＲ画像が表示できる。
【０１１５】
ガンマ補正方式（３）は、図１２に示すように、ＩＴＵ−Ｒ  ＢＴ．１８８６で定義される輝度１００％時の輝度レベルと、輝度０％時の輝度レベルと、ガンマ値を指定することで、ガンマ補正カーブを近似することができ、この近似カーブに基づき画像補正を行うことで、想定されるＨＤＲ画像が表示できる。
【０１１６】
［ＥＤＩＤのデータ構造例］
図１３は、Ｅ−ＥＤＩＤのデータ構造例を示している。このＥ−ＥＤＩＤは、基本ブロックと拡張ブロックとからなっている。基本ブロックの先頭には、“Ｅ−ＥＤＩＤ１．３  Ｂａｓｉｃ  Ｓｔｒｕｃｔｕｒｅ”で表されるＥ−ＥＤＩＤ１．３の規格で定められたデータが配置され、続いて“Ｐｒｅｆｅｒｒｅｄ  ｔｉｍｉｎｇ”で表される従来のＥＤＩＤとの互換性を保つためのタイミング情報、および“２ｎｄ  ｔｉｍｉｎｇ”で表される従来のＥＤＩＤとの互換性を保つための“Ｐｒｅｆｅｒｒｅｄ  ｔｉｍｉｎｇ”とは異なるタイミング情報が配置されている。
【０１１７】
また、基本ブロックには、“２ｎｄ  ｔｉｍｉｎｇ”に続いて、“Ｍｏｎｉｔｏｒ  ＮＡＭＥ”で表される表示装置の名前を示す情報、および“Ｍｏｎｉｔｏｒ  Ｒａｎｇｅ  Ｌｉｍｉｔｓ”で表される、アスペクト比が４：３および１６：９である場合についての表示可能な画素数を示す情報が順番に配置されている。
【０１１８】
拡張ブロックの先頭には、 “Ｓｈｏｒｔ  Ｖｉｄｅｏ  Ｄｅｓｃｒｉｐｔｏｒ”で表される、表示可能な画像サイズ(解像度)、フレームレート、インターレースであるかプログレッシブであるかを示す情報、アスペクト比などの情報が記述されたデータ、“Ｓｈｏｒｔ  Ａｕｄｉｏ  Ｄｅｓｃｒｉｐｔｏｒ”で表される、再生可能な音声コーデック方式、サンプリング周波数、カットオフ帯域、コーデックビット数などの情報が記述されたデータ、および“Ｓｐｅａｋｅｒ  Ａｌｌｏｃａｔｉｏｎ”で表される左右のスピーカに関する情報が順番に配置されている。
【０１１９】
また、拡張ブロックには、“Ｓｐｅａｋｅｒ  Ａｌｌｏｃａｔｉｏｎ”に続いて、“Ｖｅｎｄｅｒ  Ｓｐｅｃｉｆｉｃ”で表されるメーカーごとに固有に定義されたデータ、“３ｒｄ  ｔｉｍｉｎｇ”で表される従来のＥＤＩＤとの互換性を保つためのタイミング情報、および“４ｔｈ  ｔｉｍｉｎｇ”で表される従来のＥＤＩＤとの互換性を保つためのタイミング情報が配置されている。
【０１２０】
［ＶｅｎｄｏｒＳｐｅｃｉｆｉｃＤａｔａＢｌｏｃｋ（ＶＳＤＢ）領域のデータ構造例］
この実施の形態においては、このＶＳＤＢ領域に、ＨＤＲ画像情報を記憶するために拡張するデータエリアを定義する。図１４は、ＶＳＤＢ領域のデータ構造例を示している。このＶＳＤＢ領域には、１バイトのブロックである第０ブロック乃至第Ｎブロックが設けられている。
【０１２１】
第８バイトの第４ビットおよび既に定義された第０バイトから第Ｍバイトに続く第Ｍ＋１バイトから第Ｍ＋３バイトに、シンク機器（この実施の形態では、テレビ受信機１２）が記憶しておくべきＨＤＲ画像情報のデータ領域が定義される。
【０１２２】
まず、第０バイトから第８バイトについて説明する。“Ｖｅｎｄｅｒ Ｓｐｅｃｉｆｉｃ”で表されるデータの先頭に配置された第０バイトには、“Ｖｅｎｄｏｒ−Ｓｐｅｃｉｆｉｃ ｔａｇ ｃｏｄｅ（＝３）”で表されるデータ領域を示すヘッダ、および“Ｌｅｎｇｔｈ（＝Ｎ）”で表されるＶＳＤＢデータの長さを示す情報が配置される。また、第１バイト乃至第３バイトには、“２４ｂｉｔ ＩＥＥＥ Ｒｅｇｉｓｔｒａｔｉｏｎ Ｉｄｅｎｔｉｆｉｅｒ（０ｘ０００Ｃ０３）ＬＳＢ ｆｉｒｓｔ”で表されるＨＤＭＩ（Ｒ）用として登録された番号“０ｘ０００Ｃ０３“を示す情報が配置される。
【０１２３】
さらに、第４バイトおよび第５バイトには、”Ａ“、”Ｂ“、”Ｃ“、および”Ｄ“のそれぞれにより表される、２４ｂｉｔのシンク機器の物理アドレスを示す情報が配置される。第６バイトには、“Ｓｕｐｐｏｒｔｓ−ＡＩ”で表されるシンク機器が対応している機能を示すフラグ、“ＤＣ−４８ｂｉｔ”、“ＤＣ−３６ｂｉｔ”、および“ＤＣ−３０ｂｉｔ”のそれぞれで表される１ピクセル当たりのビット数を指定する情報のそれぞれ、“ＤＣ−Ｙ４４４”で表される、シンク機器がＹＣｂＣｒ４：４：４の画像の伝送に対応しているかを示すフラグ、および“ＤＶＩ−Ｄｕａｌ”で表される、シンク機器がデュアルＤＶＩ（Ｄｉｇｉｔａｌ Ｖｉｓｕａｌ Ｉｎｔｅｒｆａｃｅ）に対応しているかを示すフラグが配置されている。
【０１２４】
また、第７バイトには、“Ｍａｘ−ＴＭＤＳ−Ｃｌｏｃｋ”で表されるＴＭＤＳのピクセルクロックの最大の周波数を示す情報が配置される。第８バイトには、Ｌａｔｅｎｃｙフィールドの存在を指定する情報、Ｉｎｔｅｒｌａｃｅ Ｌａｔｅｎｃｙフィールドの存在を指定する情報、３Ｄビデオフォーマットの拡張の存在を指定する情報、コンテンツタイプ（ＣＮＣ）の機能の対応を指定する情報のフラグが配置されている。この第８バイトの第４ビットに、シンク機器が対応するＨＤＲ情報が存在するかどうかのフラグが新規に配置される。このフラグがＴｒｕｅの場合には、第１５＋Ｍバイトから第１８＋ＭバイトにＨＤＲに関する情報が存在することを示す。
【０１２５】
次に、第１５＋Ｍバイトから第１８＋Ｍバイトについて説明する。第１５＋Ｍバイトの第７ビットには、ソース機器でＨＤＲ機能に関する処理を禁止するかどうかを示す。第１５＋Ｍバイトの第６ビットから第４ビットには、シンク機器が対応しているＨＤＲ画像の３通り（上述の伝送方式（１）〜（３））のビデオフォーマットを示すデータが書き込まれる。
【０１２６】
第１５＋Ｍバイトの第３ビットから第０ビットは、これ以外の方式が提案された場合に、割当が可能となっている。第１６＋Ｍバイトの第７ビットから第５ビットには、シンク機器が対応しているＨＤＲ画像のガンマ補正の３通りの方式を示すデータが書き込まれる。第１６＋Ｍバイトの第４ビットから第０ビットは、これ以外のガンマ補正方式が提案された場合に、割当が可能となっている。
【０１２７】
例として、第７ビットがＴｒｕｅの場合は、ソース機器ではＨＤＲ画像の輝度伸長やビット圧縮等の処理を禁止する。第１７＋Ｍバイトには、シンク機器の表示パネル部２１１の最大輝度値をｃｄ／ｍ２の単位で指定する。第１８＋Ｍバイトには、シンク機器の映像信号処理回路２０８で処理可能な最大輝度伸長レベルを％の単位で指定する。これらは、第１５＋Ｍバイトの第７ビットの“Ｒａｗ”がＦａｌｓｅの場合にソース機器で実施するＨＤＲ画像の輝度伸長・ビット圧縮処理等に必要なシンク機器の情報として用いられる。
【０１２８】
ここでは、ＶＳＤＢ領域を用いてＨＤＲ伝送情報を記憶させる方法を提案しているが、Ｅ−ＥＤＩＤのデータ構造では、例えばＶＣＤＢ（Video Capability Data Block）の様に、これ以外のデータ領域でも実現可能なため、この方法に限定はされない。
【０１２９】
図１に示すＡＶシステム１０において、ディスクプレーヤ（ソース機器）１１のＣＰＵ１０４は、ＨＰＤライン（図２参照）で、テレビ受信機（シンク機器）１２の接続を確認する。その後、ディスクプレーヤ１１のＣＰＵ１０４は、ＤＤＣ２３（図２参照）を用いて、テレビ受信機１２からＥ−ＥＤＩＤ、従ってＨＤＲ画像情報を読み出し、テレビ受信機１２が対応するＨＤＲ画像の伝送方式を認識する。
【０１３０】
図１に示すＡＶシステム１０において、ディスクプレーヤ１１は、ＨＤＲ画像データをテレビ受信機１２に伝送する際、上述したようにテレビ受信機１２から読み出したＨＤＲ画像情報に基づいて、テレビ受信機１２が対応可能なＨＤＲ画像データの伝送方式およびガンマ補正方式のうちいずれかの伝送方式およびガンマ補正方式を選択して、伝送する。その際、ディスクプレーヤ１１は、テレビ受信機１２に、現在伝送しているＨＤＲ画像フォーマットに関する情報を送信する。
【０１３１】
この場合、ディスクプレーヤ１１は、テレビ受信機１２に送信するＨＤＲ画像データ（映像信号）のブランキング期間にその情報を挿入することで、当該情報をテレビ受信機１２に送信する。ここで、ディスクプレーヤ１１は、例えば、ＨＤＭＩのＶｅｎｄｏｒ Ｓｐｅｃｉｆｉｃ ＩｎｆｏＦｒａｍｅ（以降、「ＶＳＩＦ」と呼ぶ）パケット等を用いて、現在伝送している画像フォーマットに関する情報をＨＤＲ画像データのブランキング期間に挿入する。ＶＳＩＦパケットは、上述したデータアイランド区間１９（図３参照）に配置される。
【０１３２】
［ＶＳＩＦパケットのデータ構造例］
図１５は、ＶＳＩＦパケットのデータ構造例を示している。ＨＤＭＩでは、このＶＳＩＦパケットにより、画像に関する付帯情報をソース機器からシンク機器に伝送可能となっている。第０バイトにデータのチェックサムが定義されている。第１バイトから第３バイトには、“２４ｂｉｔ ＩＥＥＥ Ｒｅｇｉｓｔｒａｔｉｏｎ Ｉｄｅｎｔｉｆｉｅｒ（０ｘ０００Ｃ０３）ＬＳＢ ｆｉｒｓｔ”で表されるＨＤＭＩ（Ｒ）用として登録された番号“０ｘ０００Ｃ０３“を示す情報が配置される。
【０１３３】
第４バイトの第７ビットには、第４バイト以降の第５バイトから第７＋Ｎバイトの３Ｄデータが存在するかどうかを示すフラグが指定される。続く第６ビットには、ＨＤＲ画像データの伝送情報が第８＋Ｎバイト以降に存在するかどうかを示す“ＨＤＲ＿Ｆｏｒｍａｔ”フラグが指定される。この“ＨＤＲ＿Ｆｏｒｍａｔ”フラグがＦａｌｓｅの場合は、ＨＤＲ画像データの伝送ではないことを示す。“ＨＤＲ＿Ｆｏｒｍａｔ”フラグがＴｒｕｅの場合は、第８＋Ｎバイトから第１１＋Ｍ＋ＮバイトにＨＤＲ画像に関する付帯情報が指定される。
【０１３４】
第８＋Ｎバイトの第７ビットには、伝送するＨＤＲ画像が輝度伸長や輝度圧縮等の処理をソース機器で実施しているかどうかの情報が指定される。“Ｒａｗ”がＴｒｕｅの場合には、ソース機器で輝度伸長等の処理を実施していないことを示す。“Ｒａｗ”がＦａｌｓｅの場合には、ソース機器で輝度伸長等の処理を実施していることを示す。
【０１３５】
続く第６ビットから第４ビットには、ＨＤＲ画像の３通り（上述の伝送方式（１）〜（３））の伝送方式（映像フォーマット）のうちいずれが選択されているかの情報が指定される。この場合、第６ビットから第４ビットは、伝送方式（１）のときは０ｂ００１に、伝送方式（２）のときは０ｂ０１０に、伝送方式（３）のときは０ｂ０１１に設定される。第６ビットから第４ビットの０ｂ１００から０ｂ１１１と第３ビットから第０ビットは、これ以外の方式が提案された場合に、割当が可能となっている。
【０１３６】
第９＋Ｎバイトの第７ビットから第４ビットには、ＨＤＲ画像のガンマ補正方式の３通り（上述のガンマ補正方式（１）〜（３））のうちいずれかが選択されているかの情報が指定される。この場合、第７ビットから第４ビットは、ガンマ補正方式（１）のときは０ｂ０００１に、ガンマ補正方式（２）のときは０ｂ００１０に、ガンマ補正方式（３）のときは０ｂ００１１に設定される。第７ビットから第５ビットの０ｂ０１００から０ｂ１１１１と第４ビットから第０ビットは、これ以外の方式が提案された場合に、割当が可能となっている。第１０＋Ｎバイトには、第１１＋Ｎバイト以降に指定されるガンマ補正方式のデータのバイト長（Ｍ）が指定される。
【０１３７】
図１６は、ガンマ補正方式（１）（図１０参照）のガンマ補正のデータ構造を示す。第１０＋Ｎバイトは、ガンマ補正方式（１）のデータ長９が指定される。第１１＋Ｎバイトから第１２＋Ｎバイトには、輝度１００％時の想定される表示パネル２１１の輝度レベル「Reference_Screen_Luminance_White」がｃｄ／ｍ２の単位で指定される。第１３＋Ｎバイトから第１４＋Ｎバイトには、伝送されるＨＤＲ画像の最大輝度レベル「Extended_Range_White_Level」が％の単位で指定される。
【０１３８】
第１５＋Ｎバイトには、輝度レベル０％を表す画像データのビット値「Nominal_Black_Level_Code_Value」が指定される。通常、０〜６４の値を指定するため１バイト長となっている。第１６＋Ｎバイトから第１７＋Ｎバイトには、輝度レベル１００％を表す画像データのビット値「Nominal_White_Level_Code_Value」が指定される。第１８＋Ｎバイトから第１９＋Ｎバイトには、ＨＤＲ画像で表現される最大白レベルを表す画像データのビット値「Extended_White_Level_Code_Value」が指定される。
【０１３９】
上述の図１０には、ＶＳＩＦパケットで伝送されるＨＤＲ情報（１）、すなわち上述した「Extended_Range_White_Level」、「Nominal_Black_Level_Code_Value」、「Nominal_White_Level_Code_Value」、「Extended_White_Level_Code_Value」の値の一例を示している。この例は、「Extended_Range_White_Level」が“４００”で、ビット長が１０ビットの場合における例である。
【０１４０】
図１７は、ガンマ補正方式（２）のガンマ補正のデータ構造を示す。第１０＋Ｎバイトは、ガンマ方式（２）のデータ長１３が指定される。第１１＋Ｎバイトから第１２＋Ｎバイトには、方式（２）の入力輝度レベル「Ｉｎｐｕｔ＿Ｋｎｅｅ＿Ｐｏｉｎｔ」が０．１％の単位で指定される。第１３＋Ｎバイトから第１４＋Ｎバイトには、出力輝度レベル「Ｏｕｔｐｕｔ＿Ｋｎｅｅ＿Ｐｏｉｎｔ」が０．１％の単位で指定される。
【０１４１】
第１５＋Ｎバイトから第１８＋Ｎバイトには、伝送されるＨＤＲ画像のダイナミックレンジ「Ｄｙｎａｍｉｃ＿Ｒａｎｇｅ」が０．１％の単位で指定される。第１９＋Ｎバイトから第２２＋Ｎバイトには、最大ダイナミックレンジでの輝度レベル「Ｄｙｎａｍｉｃ＿Ｒａｎｇｅ＿Ｌｕｍｉｎａｎｃｅ」がｃｄ／ｍ２の単位で指定される。
【０１４２】
上述の図１１は、ＶＳＩＦパケットで伝送されるＨＤＲ情報（２）、すなわち上述した「Input_Knee_Point」、「Output_Knee_Point」、「Dynamic_Range」、「Dynamic_Range_Luminance」の値の一例を示している。ここでは、一組の「Knee_Point」のデータ構造を示したが、複数の「Knee_Point」のデータで、より精密な曲線カーブを近似することも可能である。
【０１４３】
図１８は、ガンマ方式（３）のガンマ補正のデータ構造を示す。第１０＋Ｎバイトは、ガンマ補正方式（３）のデータ長４が指定される。第１１＋Ｎバイトから第１２＋Ｎバイトには、輝度１００％時の輝度レベル「Screen_Luminance_White_Level」がｃｄ／ｍ２の単位で指定される。第１３＋Ｎバイトには、輝度レベル０％の輝度レベル「Screen_Luminance_Black_Level」がｃｄ／ｍ２の単位で指定される。通常、０〜６４の値を指定するため１バイト長となっている。第１４＋Ｎバイトには、ガンマ値「Gamat_Value」が指定される。
【０１４４】
上述の図１２には、ＶＳＩＦパケットで伝送されるＨＤＲ情報（３）、すなわち上述した「Screen_Luminance_White_Level」、「Screen_Luminance_Black_Level」、「Gamat_Value」を用いた計算式の一例を示している。
【０１４５】
シンク機器（この実施の形態では、テレビ受信機１２）は、第８＋Ｎバイトの第６ビットから第４ビットのいずれかのビットがＴｒｕｅに設定されている場合に、ＨＤＲ画像データが伝送されていると判定できる。さらに、シンク機器は、第６ビットから第４ビットのいずれのビットがＴｒｕｅに設定されているかにより、伝送方式（映像フォーマット）を判定できる。
【０１４６】
すなわち、第６ビットから第４ビットが０ｂ００１に設定されている場合、１９２０×１０８０ｐのディープカラー（Deep Color）という映像フォーマットが用いられてＨＤＲ画像データの伝送が行われていることがわかる（図７参照）。また、第６ビットから第４ビットが０ｂ０１０に設定されている場合、１９２０×１０８０ｐのフレームパッキングという立体映像フォーマットが用いられてＨＤＲ画像データの伝送が行われていることがわかる（図８参照）。また、第６ビットから第４ビットが０ｂ０１１に設定されている場合、１９２０×１０８０ｐのハイフレームレート映像フォーマットが用いられてＨＤＲ画像データの伝送が行われていることがわかる（図９参照）。
【０１４７】
また、第９＋Ｎバイトの第７ビットから第４ビットの値により、ＨＤＲ画像のガンマ補正の方式を判定できる。すなわち、第７ビットから第４ビットが０ｂ０００１に設定されている場合、ガンマ補正の方式（１）が用いられてＨＤＲ画像データの伝送が行われていることがわかる（図１０参照）。また、第７ビットから第４ビットが０ｂ００１０に設定されている場合、ガンマ補正の方式（２）が用いられてＨＤＲ画像データの伝送が行われていることがわかる（図１１参照）。また、第７ビットから第４ビットが０ｂ００１１に設定されている場合、ガンマ補正の方式（３）が用いられてＨＤＲ画像データの伝送が行われていることがわかる（図１２参照）。
【０１４８】
なお、ここでは、ＶＳＩＦパケットを用いてＨＤＲ伝送情報を伝送する方法を提案しているが、例えばＡＶ（Auxiliary Video） ＩｎｆｏＦｒａｍｅの様に、これ以外のデータパケットでも実現可能なため、この方法に限定はされない。ただし、テレビ受信機（シンク機器）１２のＨＤＲに関する情報をＥ−ＥＤＩＤデータ領域のＶＳＤＢ領域を用いてディスクプレーヤ（ソース機器）１１に伝送する場合は、ディスクプレーヤ１１のＨＤＲに関する情報は、ＶＳＩＦパケットで伝送することが望ましい。
【０１４９】
［機器接続時のソース機器の処理例］
次に、図１に示すＡＶシステム１０において、ディスクプレーヤ（ソース機器）１１における、テレビ受信機（シンク機器）１２の接続時の処理について、図１９のフローチャートを参照して説明する。
【０１５０】
ディスクプレーヤ１１は、ステップＳＴ１において、処理を開始し、その後に、ステップＳＴ２の処理に移る。このステップＳＴ２において、ディスクプレーヤ１１は、ＨＰＤ信号がハイレベル「Ｈ」にあるか否かを判定する。ＨＰＤ信号がハイレベル「Ｈ」にないとき、ディスクプレーヤ１１にテレビ受信機（シンク機器）１２が接続されていない。このとき、ディスクプレーヤ１１は、直ちに、ステップＳＴ８に進み、処理を終了する。
【０１５１】
ＨＰＤ信号がハイレベル「Ｈ」にあるとき、ディスクプレーヤ１１は、ステップＳＴ３において、テレビ受信機１２のＥ−ＥＤＩＤを読み出す。そして、ディスクプレーヤ１１は、ステップＳＴ４において、ＨＤＲ画像情報（ＨＲＤデータ）があるか否かを判定する。ＨＤＲ画像情報がないとき、ディスクプレーヤ１１は、ステップＳＴ７において、ＶＳＩＦパケットにＨＤＲ画像の非伝送を示すデータを設定し、その後に、ステップＳＴ８に進み、処理を終了する。ここで、ＨＤＲ画像の非伝送を示すデータの設定とは、ＶＳＩＦパケット（図１５参照）の第４バイトの第６ビットをローレベル「Ｌ」に設定することを意味する。
【０１５２】
また、ステップＳＴ４でＨＤＲ画像情報があるとき、ディスクプレーヤ１１は、ステップＳＴ５において、ＨＤＲ画像データの伝送方式およびガンマ補正方式を決定する。そして、ディスクプレーヤ１１は、ステップＳＴ６において、ＶＳＩＦパケットに、ＨＤＲ画像データの伝送方式およびガンマ補正方式を示すデータを設定し、その後に、ステップＳＴ８に進み、処理を終了する。
【０１５３】
［ソース機器でのＨＤＲ伝送方式の選択処理例］
次に、図１に示すＡＶシステム１０において、ディスクプレーヤ（ソース機器）１１におけるＨＤＲ画像データの伝送方式の決定処理（図１９のステップＳＴ５の処理）について、図２０、図２１のフローチャートを参照して説明する。
【０１５４】
ディスクプレーヤ１１は、ステップＳＴ１１において、処理を開始し、その後に、ステップＳＴ１２の処理に移る。このステップＳＴ１２において、ディスクプレーヤ１１は、テレビ受信機（シンク機器）１２のＶＳＤＢ領域の第８バイトの第４ビットがハイレベル「Ｈ」にあるか否かを判定する。第８バイトの第４ビットがハイレベル「Ｈ」にないとき、ディスクプレーヤ１１は、ステップＳＴ１３において、ＶＳＩＦパケットにＨＤＲ画像の非伝送を示すデータを設定し、その後に、ステップＳＴ２７に進み、処理を終了する。ここで、ＨＤＲ画像の非伝送を示すデータの設定とは、ＶＳＩＦパケット（図１２参照）の第４バイトの第６ビットを「Ｌ」に設定することを意味する。
【０１５５】
ステップＳＴ１２で第８バイトの第４ビットがハイレベル「Ｈ」にあるとき、ディスクプレーヤ１１は、ステップＳＴ１４の処理に移る。このステップＳＴ１４において、ディスクプレーヤ１１は、テレビ受信機１２のＶＳＤＢ領域の第１５＋Ｍバイトの第７ビットがハイレベル「Ｈ」にあるか否かを判定する。第１５＋Ｍバイトの第７ビットがハイレベル「Ｈ」にないとき、ディスクプレーヤ１１は、ステップＳＴ１５において、ＶＳＤＢ領域の第１７＋Ｍバイトおよび第１８＋Ｍバイトを読み出し、次のステップＳＴ１６に進む。
【０１５６】
ディスクプレーヤ１１は、ステップＳＴ１６において、読み出した第１７＋Ｍバイトの表示パネル２１１の最大輝度（ｃｄ／ｍ２）と第１８＋Ｍバイトの最大輝度拡張レベル（％）のデータに基づき、伝送するＨＤＲ画像の輝度圧縮処理を実施し、次のステップＳＴ１７に進む。このステップＳＴ１７において、ディスクプレーヤ１１は、ＶＳＩＦパケットにＨＤＲ画像の輝度圧縮処理の実施を示すデータおよびガンマ補正情報を設定し、その後に、ステップＳＴ２７に進み、処理を終了する。ここで、ＨＤＲ画像の輝度圧縮の実施を示すデータの設定とは、ＶＳＩＦパケット（図１５参照）の第８＋Ｎバイトの第７ビットを“Ｆａｌｓｅ＝「Ｌ」”に設定することを意味する。
【０１５７】
また、ステップＳＴ１４で第１５＋Ｍバイトの第７ビットがハイレベル「Ｈ」にあるとき、ディスクプレーヤ１１は、ステップＳＴ１８において、ＨＤＲ画像の輝度圧縮処理を実施せずに、次のステップ１９に進む。このステップＳＴ１９において、ディスクプレーヤ１１は、ＶＳＤＢ領域の第１５＋Ｍバイトの第６ビットがハイレベル「Ｈ」に設定されているかどうかを判断する。
【０１５８】
第１５＋Ｍバイトの第６ビットがハイレベル「Ｈ」にあるとき、ディスクプレーヤ１１は、ステップＳＴ２０において、ＨＤＲ画像伝送方式の方式（１）を選択し、次のステップ２１に進む。ディスクプレーヤ１１は、このステップＳＴ２１において、ＶＳＩＦパケットにＨＤＲ画像の伝送方式（１）を示すデータを設定し、その後に、ステップＳＴ２６−１に進む。ここで、ＨＤＲ画像の伝送方式（１）を示すデータの設定とは、ＶＳＩＦパケット（図１５参照）の第８＋Ｎバイトの第６ビットから第４ビットを「０ｂ００１」に設定することを意味する。
【０１５９】
また、ステップＳＴ１９で第１５＋Ｍバイトの第６ビットがローレベル「Ｌ」にあるとき、次のステップＳＴ２２に進む。このステップＳＴ２２において、ディスクプレーヤ１１は、ＶＳＤＢ領域の第１５＋Ｍバイトの第５ビットがハイレベル「Ｈ」に設定されているかどうかを判断する。第１５＋Ｍバイトの第５ビットがハイレベル「Ｈ」にあるとき、ディスクプレーヤ１１は、ステップＳＴ２３において、ＨＤＲ画像伝送方式の方式（２）を選択し、次のステップ２４に進む。
【０１６０】
このステップＳＴ２４において、ディスクプレーヤ１１は、ＶＳＩＦパケットにＨＤＲ画像の伝送方式（２）を示すデータを設定し、その後に、ステップＳＴ２６−１に進む。ここで、ＨＤＲ画像の伝送方式（２）を示すデータの設定とは、ＶＳＩＦパケット（図１５参照）の第８＋Ｎバイトの第６ビットから第４ビットを「０ｂ０１０」に設定することを意味する。
【０１６１】
また、ステップＳＴ２２で第１５＋Ｍバイトの第５ビットがハイレベル「Ｈ」にないとき、ディスクプレーヤ１１は、ステップＳＴ２５において、ＨＤＲ画像伝送方式の方式（３）を選択し、次のステップ２６に進む。このステップＳＴ２６において、ディスクプレーヤ１１は、ＶＳＩＦパケットにＨＤＲ画像の伝送方式（３）を示すデータを設定し、その後に、ステップＳＴ２６−１に進む。ここで、ＨＤＲ画像の伝送方式（３）を示すデータの設定とは、ＶＳＩＦパケット（図１５参照）の第８＋Ｎバイトの第６ビットから第４ビットを「０ｂ０１１」に設定することを意味する。
【０１６２】
ステップＳＴ２６−１において、ディスクプレーヤ１１は、ＶＳＤＢパケットの第１６＋Ｍバイトの第６ビットがハイレベル「Ｈ」にあるか否かを判定する。第１６＋Ｍバイトの第６ビットがハイレベル「Ｈ」のとき、ディスクプレーヤ１１は、ステップＳＴ２６−２において、ＶＳＩＦ領域の第９＋Ｎバイトの第７ビットから第４ビットを「０ｂ００１０」に設定し、第１０＋Ｎバイトから第２２＋Ｎバイトにガンマ補正方式（２）のデータを設定し、ステップＳＴ２７に進み、処理を終了する。
【０１６３】
また、ステップＳＴ２６−１において、ＶＳＤＢパケットの第１６＋Ｍバイトの第６ビットがハイレベル「Ｈ」にないとき、ディスクプレーヤ１１は、ステップＳＴ２６−３に進む。このステップＳＴ２６−３において、ディスクプレーヤ１１は、ＶＳＤＢパケットの第１６＋Ｍバイトの第７ビットがハイレベル「Ｈ」にあるか否かを判定する。第１６＋Ｍバイトの第７ビットがハイレベル「Ｈ」のとき、ディスクプレーヤ１１は、ステップＳＴ２６−４において、ＶＳＩＦ領域の第９＋Ｎバイトの第７ビットから第４ビットを「０ｂ０００１」に設定し、第１０＋Ｎバイトから第１９＋Ｎバイトにガンマ補正方式（１）のデータを設定し、ステップＳＴ２７に進み、処理を終了する。
【０１６４】
また、ステップＳＴ２６−３において、第１６＋Ｍバイトの第７ビットがハイレベル「Ｈ」にないとき、ディスクプレーヤ１１は、ステップＳＴ２６−５に進む。このステップＳＴ２６−５において、ディスクプレーヤ１１は、ＶＳＤＢパケットの第１６＋Ｍバイトの第５ビットがハイレベル「Ｈ」にあるか否かを判定する。第１６＋Ｍバイトの第５ビットがハイレベル「Ｈ」のとき、ディスクプレーヤ１１は、ステップＳＴ２６−６において、ＶＳＩＦ領域の第９＋Ｎバイトの第７ビットから第４ビットを「０ｂ００１１」に設定し、第１０＋Ｎバイトから第１４＋Ｎバイトにガンマ補正方式（３）のデータを設定し、ステップＳＴ２７に進み、処理を終了する。
【０１６５】
また、ステップＳＴ２６−５において、ＶＳＤＢパケットの第１６＋Ｍバイトの第５ビットがハイレベル「Ｈ」にないとき、ディスクプレーヤ１１は、ステップＳＴ２６−７に進む。このステップＳＴ２６−７において、ＶＳＩＦ領域の第９＋Ｎバイトの第７ビットから第４ビットを「０ｂ００００」に設定し、第１０＋Ｎバイトを「Ｌ」に設定し、ステップＳＴ２７に進み、処理を終了する。
【０１６６】
［シンク機器の省エネモード設定時の処理例］
次に、図１に示すＡＶシステム１０において、テレビ受信機（シンク機器）１２における、省エネモード設定時の処理について、図２２のフローチャートを参照して説明する。テレビ受信機１２は、ステップＳＴ３０において、処理を開始し、その後に、ステップＳＴ３１の処理に移る。このステップＳＴ３１において、テレビ受信機１２は、自身の動作モードが省エネモード（省エネルギーモード）に設定されているか否かを判定する。
【０１６７】
省エネモードが設定されているとき、テレビ受信機１２は、表示パネル２１１の輝度を低減して画像を表示することで消費電力を抑える動作をユーザが選択していることから、必要以上のＨＤＲ輝度伸長を行うことは省エネの観点から望ましくない。そのため、テレビ受信機１２は、省エネモードが設定されているとき、ステップＳＴ３２の処理に移る。
【０１６８】
このステップＳＴ３２において、テレビ受信機１２は、自身のＥ−ＥＤＩＤのＶＳＤＢ領域にある第１５＋Ｍバイトの第７ビットを“Ｆａｌｓｅ＝「Ｌ」”に設定する。また、テレビ受信機１２は、このステップＳＴ３２において、さらに、第１７＋Ｍバイトの表示パネル２１１の最大輝度レベルおよび第１８＋Ｍバイトの最大輝度レンジの値を省エネモードで設定される輝度レベルと最大輝度レンジの値に設定する。その後、テレビ受信機１２は、ステップＳＴ３４に進み、処理を終了する。
【０１６９】
また、ステップＳＴ３１で省エネモードが設定されていないとき、テレビ受信機１２は、ステップＳＴ３３の処理に移る。このステップＳＴ３３において、テレビ受信機１２は、自身のＥ−ＥＤＩＤのＶＳＤＢ領域にある第１５＋Ｍバイトの第７ビットを“Ｔｒｕｅ＝「Ｈ」”に設定する。また、テレビ受信機１２は、このステップＳＴ３３において、さらに、第１７＋Ｍバイトの表示パネル２１１の最大輝度レベルおよび第１８＋Ｍバイトの最大輝度レンジの値を自身の最大値に設定する。その後、テレビ受信機１２は、ステップＳＴ３４に進み、処理を終了する。
【０１７０】
［シンク機器の省エネルギーモード解除の処理例］
次に、図１に示すＡＶシステム１０において、テレビ受信機（シンク機器）１２における、省エネモード設定時にディスクプレーヤ（ソース機器）１１からＨＤＲ画像の伝送が開始された時の処理について、図２３のフローチャートを参照して説明する。
【０１７１】
テレビ受信機１２は、ステップＳＴ４０において、処理を開始し、その後に、ステップＳＴ４１の処理に移る。このステップＳＴ４１において、テレビ受信機１２は、ディスクプレーヤ１１から伝送されるＶＳＩＦパケット（図１５参照）の第４バイトの第６ビットがハイレベル「Ｈ」に設定されているか否かを判定する。第４バイトの第６ビットがハイレベル「Ｈ」に設定されていない場合は、ＨＤＲ画像の伝送ではないと判断し、省エネモードを解除せず、その後、ステップＳＴ４７に進み、処理を終了する。
【０１７２】
ステップＳＴ４１で第４バイトの第６ビットがハイレベル「Ｈ」に設定されている場合は、テレビ受信機１２は、次のステップＳＴ４２に進む。このステップＳＴ４２において、テレビ受信機１２は、自身が省エネモードに設定されているか否かを判定する。省エネモードに設定されていない場合は、テレビ受信機１２は、ＨＤＲ画像の受信が可能であると判断し、省エネモードにせず、その後、ステップＳＴ４７に進み、処理を終了する。
【０１７３】
ステップＳＴ４２で省エネモードに設定されている場合は、テレビ受信機１２は、次のステップＳＴ４３に進む。このステップＳＴ４３において、テレビ受信機１２は、省エネモードを解除してＨＤＲ画像の受信を実施するか否かをユーザが指示するための選択画面を表示パネル２１１に表示して、ユーザに通知し、ユーザの選択を待ち、次のステップＳＴ４４に進む。
【０１７４】
このステップＳＴ４４において、テレビ受信機１２は、省エネモードを解除してＨＤＲ画像の受信を実施する選択をユーザが指示したか否か判断する。ユーザが省エネモードの解除を希望しない場合は、省エネモードを解除せず、その後、ステップＳＴ４７に進み、処理を終了する。
【０１７５】
ステップＳＴ４４でユーザが省エネモードの解除を希望する場合は、テレビ受信機１２は、次のステップ４５に進む。このステップＳＴ４５において、テレビ受信機１２は、省エネモードを解除してＨＤＲ画像の受信を実施するために、ＶＳＤＢ領域（図１４参照）の第１５＋Ｍバイトの第７ビットをハイレベル「Ｈ」に設定し、第１７＋Ｍバイトと第１８＋Ｍバイトを自身の表示パネル２１１が表示できる輝度値と輝度レベルの最大値に設定し、次のステップＳＴ４６に進む。このステップＳＴ４６において、テレビ受信機１２は、省エネモードを解除し、その後、ステップＳＴ４７に進み、処理を終了する。
【０１７６】
以上説明したように、図１に示すＡＶシステム１０においては、ディスクプレーヤ１１からテレビ受信機１２に、ＨＤＲ画像データがＨＤＭＩケーブル１３を介して送信されると共に、このＨＤＲ画像データの伝送方式情報およびガンマ補正情報が同じＨＤＭＩケーブル１３を介して送信されるものであり、ＨＤＲ画像データの伝送を良好に行うことができる。例えば、テレビ受信機１２は、受信される伝送方式情報およびガンマ補正情報に基づいて、受信されるＨＤＲ画像データを適切に処理できる。
【０１７７】
また、図１に示すＡＶシステム１０においては、ディスクプレーヤ１１では、ＨＤＲ画像データの伝送方式およびガンマ補正方式として、テレビ受信機１２が対応可能な方式が選択されるものである。そのため、テレビ受信機１２では、受信されるＨＤＲ画像データのデコード処理、ガンマ補正処理を確実に行うことができる。つまり、ディスクプレーヤ１１とテレビ受信機１２との間におけるＨＤＲ画像データの伝送を良好に行うことができる。
【０１７８】
＜２．変形例＞
なお、上述実施の形態においては、ディスクプレーヤ１１は、ＨＤＲ画像データの伝送方式情報およびガンマ補正情報を、ＶＳＩＦパケットを用いて、画像データ（映像信号）のブランキング期間に挿入することで、テレビ受信機１２に送信している。
【０１７９】
例えば、ディスクプレーヤ１１は、ＨＤＲ画像データの伝送方式情報およびガンマ補正情報を、ＨＤＭＩケーブル１３の制御データラインであるＣＥＣライン２４を介して、テレビ受信機１２に送信するようにしてもよい。また、例えば、ディスクプレーヤ１１は、ＨＤＲ画像データの伝送方式情報およびガンマ補正情報を、ＨＤＭＩケーブル１３のリザーブライン２７およびＨＰＤライン２５で構成される双方向通信路を介して、テレビ受信機１２に送信するようにしてもよい。
【０１８０】
また、上述実施の形態においては、テレビ受信機１２のＥ−ＥＤＩＤには、当該テレビ受信機１２が対応するＨＤＲ画像データの伝送方式情報およびガンマ補正方式情報が含まれており、ディスクプレーヤ１１は、ＨＤＭＩケーブル１３のＤＤＣ２３を介してＥ−ＥＤＩＤを読み出すことで、テレビ受信機１２が対応するＨＤＲ画像データの伝送方式情報およびガンマ補正方式情報を取得するようにしている。
【０１８１】
しかし、ディスクプレーヤ１１は、テレビ受信機１２が対応するＨＤＲ画像データの伝送方式情報およびガンマ補正方式情報を、テレビ受信機１２から、ＨＤＭＩケーブル１３の制御データラインであるＣＥＣライン２４を介して、あるいはＨＤＭＩケーブル１３のリザーブライン２７およびＨＰＤライン２５で構成される双方向通信路を介して受信するようにしてもよい。
【０１８２】
また、上述実施の形態においては、ディスクプレーヤ１１は、ＨＤＲ画像データの伝送方式情報およびガンマ補正情報の双方をテレビ受信機１２に送信する例を示している。しかし、いずれか一方を送信する構成も考えられる。
【０１８３】
また、上述実施の形態においては、ＨＤＭＩの伝送路を用いるものを示している。しかし、ベースバンドデジタルインタフェースとしては、ＨＤＭＩの他に、ＭＨＬ（Mobile High-definition Link）、ＤＶＩ（Digital Visual Interface）インタフェース、ＤＰ（Display Port）インタフェース、６０ＧＨｚミリ波を利用したワイヤレスインタフェース等がある。本技術は、これらのデジタルインタフェースで、ＨＤＲ画像データを伝送する場合にも同様に適用できる。
【０１８４】
［ＤＰシステムの構造例］
図２４は、ＤＰインタフェースを用いたＤＰシステム３００の構成例を示している。このＤＰシステム３００は、ＤＰ送信機器３０１とＤＰ受信機器３０７とが、ＤＰケーブル３０３により接続されている。そして、ＤＰ送信機器３０１はＤＰ送信部３０２を備え、ＤＰ受信機器３０７はＤＰ受信部３０８と記憶部３０９を備えている。
【０１８５】
ＤＰケーブル３０３は、メインリンク３０４とＡＵＸチャネル３０５とホットプラグ検知３０６で構成されている。メインリンク３０４は、１つ、２つ、または４つの二重終端差動信号ペア（ペアレーン）から構成され、専用のクロック信号は持たず、代わりに８Ｂ／１０Ｂ符号化データストリームにクロックが埋め込まれている。
【０１８６】
ＤＰインタフェースでは、ＨＤＭＩと異なり、伝送速度とピクセル周波数は独立していて、ピクセルの深さや解像度、フレーム周波数、および転送ストリーム内の音声データやＤＲＭ情報などの付加データの有無ならびにその量を、自由に調整できる。メインリンク３０４を用いて、ＨＤＲ画像データおよびＨＤＲ画像データの伝送方式情報およびガンマ補正情報の伝送が行われる。
【０１８７】
ＤＰインタフェースの伝送データ構造は、ＨＤＭＩにおける、ＴＭＤＳ伝送データ構造（図３参照）を用い、ＨＤＲ画像データは、ＨＤＭＩにおける図７から図９の画像データ構造を用いる。また、ＨＤＲ画像データの伝送方式情報およびガンマ補正情報は、ＨＤＭＩにおけるコントロール区間１９（図３参照）に挿入して伝送されるＶＳＩＦパケット（図１５参照）のデータ構造と同じパケットを用いる。
【０１８８】
ＤＰ送信機器３０１は、ホットプラグ検知３０６で、ＤＰ受信機器３０７の接続を確認する。その後、ＤＰ送信機器３０１は、ＡＵＸチャネル３０５を用いて、ＤＰ受信機器３０７の記憶部３０９からＥ−ＥＤＩＤのＨＤＲ画像情報を読み出し、ＤＰ受信機器３０７が対応するＨＤＲ画像の伝送方式を認識する。ＤＰ受信機器３０７のＥ−ＥＤＩＤのＨＤＲ画像情報のデータ構造は、図１３および図１４と同じでもよい。
【０１８９】
また、ＤＰインタフェースでは、メインリンク３０４とは別に、帯域幅１Ｍビット/秒または帯域幅７２０Ｍビット/秒の半二重双方向のＡＵＸチャネル３０５があり、この双方向通信によって送信機器と受信機器との間の機能に関する情報交換を行う。このＡＵＸチャネル３０５を用いて、ＨＤＲ画像データの伝送方式情報およびガンマ補正方式情報の伝送を行うこともできる。
【０１９０】
［ＡＵＸチャネルのデータ構造例］
図２５（ａ）は、ＡＵＸチャネル３０５でＨＤＲ画像データの伝送方式情報およびガンマ補正方式情報の伝送を行う場合のパケット構造例を示す。パケットは、ヘッダと、データ領域と、ＳＴＯＰビットで構成されている。ヘッダは、同期用のＳＹＮＣ部と、４ビットのコマンド部と、２０ビットの記憶部３０９のメモリアドレスとで構成される。また、データ領域は、８ビットのデータ長部と、８ビットから１２８ビット長または５１２ビット長のペイロード部とで構成される。
【０１９１】
ＨＤＲ画像データの伝送方式情報およびガンマ補正方式情報は、上記ペイロードに挿入される。ＤＰ送信機器３０１からＤＰ受信機器３０７へＨＤＲ画像データの伝送方式情報およびガンマ補正方式情報を伝送するとき、ヘッダのコマンド部には「０ｂ１０００」が設定される。ペイロード部には、図２５（ｂ）に示すような、“Metadata_tx”で示されるシンタクスのデータが設定される。
【０１９２】
“Continuation_flag”は、１つのパケットのペイロード部のデータ長が、伝送すべきＨＤＲ画像データの伝送方式情報およびガンマ補正方式情報よりも短いとき、複数のパケットに分割して伝送するときの連続性を示すビットである。“Metadata_type”は、ＤＰ受信機器３０７が対応するＨＤＲ画像データの伝送方式情報およびガンマ補正方式情報に基づき、ＤＰ送信機器３０１が選択した方式を示す。“Metadata”は、伝送するＨＤＲ画像データの伝送方式情報およびガンマ補正方式情報を設定する。
【０１９３】
また、ＤＰ送信機器３０１は、ＤＰ受信機器３０７が対応するＨＤＲ画像データの伝送方式およびガンマ補正方式情報を取得するとき、ヘッダ部のコマンド部に「０ｂ１００１」を設定する。ペイロード部には、図２５（ｃ）に示すような、“EDID_read”で示されるシンタクスのデータが設定される。“HDR_VSDB_length”には、取得するＨＤＲ画像データの伝送方式情報およびガンマ補正方式情報のデータのバイト長が設定される。このようにして、ＤＰシステム３００においても、ＨＤＭＩにおけるＡＶシステム１０と同様に、ＨＤＲ画像データの伝送方式情報およびガンマ補正方式情報を伝送することができる。
【０１９４】
［ＭＨＬシステムの構造例］
図２６は、ＭＨＬインタフェースを用いたＭＨＬシステム４００の構成例を示している。このＭＨＬシステムは、ＭＨＬ送信機器４０１とＭＨＬ受信機器４０８が、ＭＨＬケーブル４０４により接続されている。そして、ＭＨＬ送信機器４０１は、ＴＭＤＳ送信部４０２と、記憶部４０３を備え、ＭＨＬ受信機器４０８はＴＭＤＳ受信部４０９と、記憶部４１０と、ＥＤＩＤ―ＲＯＭ４１１を備えている。
【０１９５】
ＭＨＬケーブル４０４は、ＴＭＤＳチャネル４０５と、ＣＢＵＳ（MHL Link Control Bus）/ｅＣＢＵＳ（enhanced MHL Link Control Bus）ライン４０６と、電源供給用ＶＢＵＳ（MHL Voltage Bus）ライン４０７で構成されている。ＴＭＤＳチャネル４０５は、１対の差動信号ペアから構成され、ＨＤＲ画像データおよびＨＤＲ画像データの伝送方式情報およびガンマ補正情報の伝送が行われる。
【０１９６】
ＭＨＬインタフェースの伝送データ構造は、ＨＤＭＩにおける、ＴＭＤＳ伝送データ構造（図３参照）を用い、ＨＤＲ画像データは、ＨＤＭＩにおける図７から図９の画像データ構造を用いる。また、ＨＤＲ画像データの伝送方式情報およびガンマ補正情報は、ＨＤＭＩにおける、コントロール区間１９（図３参照）に挿入して伝送されるＶＳＩＦパケット（図１５参照）のデータ構造と同じパケットを用いる。
【０１９７】
ＣＢＵＳ/ｅＣＢＵＳライン４０６において、図２７のパケットデータのデータ部を０ｘ６４に設定したとき、ＨＰＤがハイレベル「１」を表し、パケットデータのデータ部を０ｘ６５に設定したとき、ＨＰＤがローレベル「０」を表す。この様にして、ＭＨＬ送信機器４０１は、ＣＢＵＳ/ｅＣＢＵＳライン４０６で、ＭＨＬ受信機器４０８の接続を確認する。
【０１９８】
その後、ＭＨＬ送信機器４０１は、ＣＢＵＳ/ｅＣＢＵＳライン４０６を用いて、ＭＨＬ受信機器４０８からＥ−ＥＤＩＤのＨＤＲ画像情報を読み出し、ＭＨＬ受信機器４０８が対応するＨＤＲ画像の伝送方式を認識する。ＭＨＬ受信機器４０８のＥ−ＥＤＩＤのＨＤＲ画像情報のデータ構造は、図１３および図１４と同じでもよい。
【０１９９】
［ＣＢＵＳラインのデータ構造例］
図２８（ａ）は、ＣＢＵＳ/ｅＣＢＵＳライン４０６におけるＨＤＲ画像データの伝送方式情報およびガンマ補正情報の伝送を行うときのＣＢＵＳパケットフォーマットを示す。通常、ＣＢＵＳ/ｅＣＢＵＳライン４０６で伝送されるパケットは１バイト長のデータを時分割多重して伝送するため、ＨＤＲ画像データの伝送方式情報およびガンマ補正情報のようなデータ長が長いデータを伝送するには遅延が発生し、リアルタイム性を必要とするデータ伝送には不向きである。そこで、２５６バイト長までのデータをブロック伝送できるｅＭＳＣ（enhanced MHL-Specific Communication）の“Block Protocol”を用いる。このパケットは、２バイトのリクエストコマンド部（０ｘＦＦ）と応答待ちＮＵＬＬ部とＳＴＡＲＴ部と２５６バイトのペイロード部と２バイトのＣＲＣ部と応答待ちＮＵＬＬ部で構成されている。
【０２００】
ＨＤＲ画像データの伝送方式情報およびガンマ補正情報は、２５６バイトのペイロード部に挿入される。ペイロード部には、図２８（ｂ）に示すような、“Metadata_tx”で示されるシンタクスのデータが設定される。 “Metadata_type”は、ＭＨＬ受信機器４０８が対応するＨＤＲ画像データの伝送方式情報およびガンマ補正方式情報に基づき、ＭＨＬ送信機器４０１が選択した方式を示す。“Metadata”は、伝送するＨＤＲ画像データの伝送方式情報およびガンマ補正方式情報を設定する。このようにして、ＭＨＬシステム４００においても、ＨＤＭＩにおけるＡＶシステム１０と同様に、ＨＤＲ画像データの伝送方式情報およびガンマ補正方式情報を伝送することができる。
【０２０１】
また、上述実施の形態においては、送信装置（ソース機器）としてディスクプレーヤ１１を使用し、受信装置（シンク機器）としてテレビ受信機１２を使用した例としたが、その他の送信装置、受信装置を使用するものにも、本技術を同様に適用できることは勿論である。
【０２０２】
また、本技術は、以下のような構成を取ることもできる。
（１）ハイダイナミックレンジ画像データを、伝送路を介して、外部機器に送信するデータ送信部と、
上記データ送信部で送信される上記ハイダイナミックレンジ画像データの伝送方式情報および/またはガンマ補正情報を、上記伝送路を介して上記外部機器に送信する情報送信部とを備える
送信装置。
（２）上記データ送信部は、上記外部機器に、上記ハイダイナミックレンジ画像データを、差動信号により、上記伝送路を介して送信する
前記（１）に記載の送信装置。
（３）上記情報送信部は、上記データ送信部で送信される上記ハイダイナミックレンジ画像データの伝送方式情報および/またはガンマ補正情報を、該ハイダイナミックレンジ画像データのブランキング期間に挿入することで、上記外部機器に送信する
前記（２）に記載の送信装置。
（４）上記情報送信部は、上記データ送信部で送信される上記ハイダイナミックレンジ画像データの伝送方式情報および/またはガンマ補正情報を、上記伝送路を構成する制御データラインを介して、上記外部機器に送信する
前記（２）に記載の送信装置。
（５）上記情報送信部は、上記伝送路の所定ラインを用いて構成される双方向通信路を介して、上記データ送信部で送信される上記ハイダイナミックレンジ画像データの伝送方式情報および/またはガンマ補正情報を上記外部機器に送信する
前記（２）に記載の送信装置。
（６）上記双方向通信路は一対の差動伝送路であり、該一対の差動伝送路のうち少なくとも一方は直流バイアス電位によって上記外部機器から接続状態の通知を受ける機能を有する
前記（５）に記載の送信装置。
（７）上記ハイダイナミックレンジ画像データは、第１のデータおよび第２のデータを含み、
上記データ送信部は、上記第１のデータおよび上記第２のデータを立体画像用に規定された映像フォーマットで構成し、上記伝送路を介して上記外部機器に送信する
前記（１）から（６）のいずれかに記載の送信装置。
（８）上記ハイダイナミックレンジ画像データは、第１のデータおよび第２のデータを含み、
上記データ送信部は、上記第１のデータを第１のフレーム画像として上記伝送路を介して上記外部機器に送信し、上記第２のデータを第２のフレーム画像として上記伝送路を介して上記外部機器に送信する
前記（１）から（６）のいずれかに記載の送信装置。
（９）上記ハイダイナミックレンジ画像データは、第１のデータおよび第２のデータを含み、
上記第１のデータはハイダイナミックレンジ画像データの下位８ビットデータであると共に、上記第２のデータはハイダイナミックレンジ画像データの上位ビットデータであるか、あるいは、上記第１のデータはハイダイナミックレンジ画像データの上位８ビットデータであると共に、上記第２のデータはハイダイナミックレンジ画像データの下位ビットデータである
前記（１）から（６）のいずれかに記載の送信装置。
（１０）上記データ送信部で送信される上記ハイダイナミックレンジ画像データの伝送方式情報およびガンマ補正情報は、ハイダイナミックレンジ画像データの１００％を超える最大白レベル情報、黒レベル表現時のビット値、１００％白レベル表現時のビット値、ハイダイナミックレンジ処理の実施有無を示すフラグ、１００％白レベル時に想定される受信装置輝度レベル、ハイダイナミックレンジ画像の輝度伸長のために必要な輝度入力レベル、ハイダイナミックレンジ画像の輝度伸長のために必要な伸長輝度出力レベルの少なくとも１つを含む
前記（１）から（９）のいずれかに記載の送信装置。
（１１）上記外部機器から上記伝送路を介して送られてくる、該外部機器が対応可能なハイダイナミックレンジ画像データの伝送方式情報および/またはガンマ補正方式情報を受信する情報受信部と、
上記情報受信部で受信された伝送方式情報および/またはガンマ補正方式情報に基づいて、上記外部機器が対応可能なハイダイナミックレンジ画像データの伝送方式および/またはガンマ補正方式から所定の伝送方式および/またはガンマ補正方式を選択する方式選択部とをさらに備え、
上記データ送信部は、上記方式選択部で選択された伝送方式および/またはガンマ補正方式のハイダイナミックレンジ画像データを、上記伝送路を介して上記外部機器に送信する
前記（１）から（１０）のいずれかに記載の送信装置。
（１２）ハイダイナミックレンジ画像データを、伝送路を介して外部機器に送信するデータ送信ステップと、
上記データ送信ステップで送信される上記ハイダイナミックレンジ画像データの伝送方式情報および/またはガンマ補正情報を、上記伝送路を介して上記外部機器に送信する情報送信ステップとを有する
ハイダイナミックレンジ画像データ送信方法。
（１３）コンピュータを、
ハイダイナミックレンジ画像データを、伝送路を介して外部機器に送信するデータ送信手段と、
上記データ送信手段で送信される上記ハイダイナミックレンジ画像データの伝送方式情報および/またはガンマ補正情報を、上記伝送路を介して上記外部機器に送信する情報送信手段と
して機能させるプログラム。
（１４）外部機器から、伝送路を介して、ハイダイナミックレンジ画像を表示するためのハイダイナミックレンジ画像データを受信するデータ受信部と、
上記外部機器から、上記データ受信部で受信されるハイダイナミックレンジ画像データの伝送方式情報および/またはガンマ補正情報を受信する情報受信部と、
上記情報受信部で受信された伝送方式情報および/またはガンマ補正情報に基づいて、上記データ受信部で受信されたハイダイナミックレンジ画像データを処理するデータ処理部とを備える
受信装置。
（１５）上記データ受信部は、上記外部機器から、差動信号により、上記伝送路を介して、上記ハイダイナミックレンジ画像データを受信する
前記（１４）に記載の受信装置。
（１６）上記情報受信部は、上記データ受信部で受信された上記ハイダイナミックレンジ画像データのブランキング期間から、該ハイダイナミックレンジ画像データの伝送方式情報および/またはガンマ補正情報を抽出する
前記（１５）に記載の受信装置。
（１７）上記情報受信部は、上記データ受信部で受信された上記ハイダイナミックレンジ画像データの伝送方式情報および/またはガンマ補正情報を、上記外部機器から、上記伝送路を構成する制御データラインを介して受信する
前記（１５）に記載の受信装置。
（１８）上記情報受信部は、上記データ受信部で受信された上記ハイダイナミックレンジ画像データの伝送方式情報および/またはガンマ補正情報を、上記外部機器から、上記伝送路の所定ラインを用いて構成される双方向通信路を介して受信する
前記（１５）に記載の受信装置。
（１９）上記双方向通信路は一対の差動伝送路であり、該一対の差動伝送路のうち少なくとも一方は直流バイアス電位によって上記外部機器に接続状態を通知する機能を有する
前記（１８）に記載の受信装置。
（２０）上記ハイダイナミックレンジ画像データは、第１のデータおよび第２のデータを含み、
上記データ送受信部は、立体画像用に規定された映像フォーマットで構成された、上記第１のデータおよび上記第２のデータを上記外部機器から上記伝送路を介して受信する
前記（１４）から（１９）のいずれかに記載の受信装置。
（２１）上記ハイダイナミックレンジ画像データは、第１のデータおよび第２のデータを含み、
上記データ送受信部は、上記第１のデータで構成される上記第１のフレーム画像と、上記第２のデータで構成される上記第２のフレーム画像を上記外部機器から上記伝送路を介して受信する
前記（１４）から（１９）のいずれかに記載の受信装置。
（２２）上記ハイダイナミックレンジ画像データは、第１のデータおよび第２のデータを含み、
上記第１のデータは上記ハイダイナミックレンジ画像の下位８ビットデータであると共に、上記第２のデータは上記ハイダイナミックレンジ画像の上位ビットデータであるか、あるいは、上記第１のデータはハイダイナミックレンジ画像データの上位８ビットデータであると共に、上記第２のデータはハイダイナミックレンジ画像データの下位ビットデータである
前記（１４）から（１９）のいずれかに記載の受信装置。
（２３）省エネルギーモードが選択されている場合、上記外部機器から送信される上記ハイダイナミックレンジ画像データの上記伝送方式情報を上記情報受信部で受信した際、表示部に省エネルギーモードを解除するかどうかの表示を行う表示制御部をさらに備える
前記（１４）から（２２）のいずれかに記載の受信装置。
（２４）自身が対応可能なハイダイナミックレンジ画像データの伝送方式情報および/またはガンマ補正方式情報を記憶しておく情報記憶部と、
上記情報記憶部に記憶されている伝送方式情報および/またはガンマ補正方式情報を、上記伝送路を介して上記外部機器に送信する情報送信部とをさらに備える
前記（１４）から（２３）のいずれかに記載の受信装置。
（２５）上記情報記憶部は、表示可能な最大輝度情報、ハイダイナミックレンジ処理可能な最大伸長輝度レベル情報、伸長処理禁止フラグの少なくとも１つをさらに記憶している
前記（２４）に記載の受信装置。
（２６）上記情報記憶部は、伸長処理禁止フラグを記憶しており、
省エネルギーモードが選択された場合に、上記情報記憶部に記憶している上記伸長処理禁止フラグを無効に書き換える記憶制御部をさらに備える
前記（２４）または（２５）に記載の受信装置。
（２７）上記情報記憶部は、表示可能な最大輝度情報およびハイダイナミックレンジ処理可能な最大伸長輝度レベル情報を記憶しており、
省エネルギーモードが選択された場合に、上記情報記憶部に記憶している上記表示可能な最大輝度情報およびハイダイナミックレンジ処理可能な最大伸長輝度レベル情報を書き換える記憶制御部をさらに備える
前記（２４）から（２６）のいずれかに記載の受信装置。
（２８）データ受信部により、外部機器から、伝送路を介して、上記ハイダイナミックレンジ画像データを受信するデータ受信ステップと、
上記外部機器から、上記データ受信ステップで受信された上記ハイダイナミックレンジ画像データの伝送方式情報および/またはガンマ補正情報を受信する情報受信ステップと、
上記情報受信ステップで受信された上記伝送方式情報および/またはガンマ補正情報に基づいて、上記データ受信ステップで受信されたハイダイナミックレンジ画像データを処理するデータ処理ステップとを有する
ハイダイナミックレンジ画像データ受信方法。
（２９）コンピュータを、
外部機器から、伝送路を介して、ハイダイナミックレンジ画像を表示するためのハイダイナミックレンジ画像データを受信するデータ受信手段と、
上記外部機器から、上記データ受信手段で受信されるハイダイナミックレンジ画像データの伝送方式情報および/またはガンマ補正情報を受信する情報受信手段と、
上記情報受信手段で受信された伝送方式情報および/またはガンマ補正情報に基づいて、上記データ受信手段で受信されたハイダイナミックレンジ画像データを処理するデータ処理手段と
して機能させるプログラム。
【符号の説明】
【０２０３】
１０・・・・ＡＶシステム
１１・・・・ディスクプレーヤ
１１ａ・・・ＨＤＭＩ端子
１１ｂ・・・ＨＤＭＩ送信部
１１ｃ・・・高速バスインタフェース
１２・・・・テレビ受信機
１２ａ・・・ＨＤＭＩ端子
１２ｂ・・・ＨＤＭＩ受信部
１２ｃ・・・高速バスインタフェース
１３・・・・ＨＤＭＩケーブル
１４・・・・有効画像区間
１５・・・・水平帰線区間
１６・・・・垂直帰線区間
１７・・・・ビデオデータ区間
１８・・・・データアイランド区間
１９・・・・コントロール区間
２１・・・・ＨＤＭＩトランスミッタ
２２・・・・ＨＤＭＩレシーバ
２３・・・・ＤＤＣライン
２４・・・・ＣＥＣライン
２５・・・・ＨＰＤライン
２６・・・・電源ライン
２７・・・・リザーブライン
１０４・・・ＣＰＵ
１０５・・・内部バス
１０６・・・フラッシュＲＯＭ
１０７・・・ＳＤＲＡＭ
１０８・・・リモコン受信部
１０９・・・リモコン送信機
１１０・・・ＳＡＴＡインタフェース
１１１・・・ＢＤドライブ
１１２・・イーサネットインタフェース
１１３・・・ネットワーク端子
１１４・・・ＨＤＲ処理回路
１１５・・・ＭＰＥＧデコーダ
１１６・・・グラフィック生成回路
１１７・・・映像出力端子
１１８・・音声出力端子
１２１・・・表示制御部
１２２・・・パネル駆動回路
１２３・・・表示パネル
１２４・・・電源部
２０４・・・ＨＤＲ処理回路
２０５・・・アンテナ端子
２０６・・・デジタルチューナ
２０７・・・ＭＰＥＧデコーダ
２０８・・・映像信号処理回路
２０９・・・グラフィック生成回路
２１０・・・パネル駆動回路
２１１・・・表示パネル
２１２・・・音声信号処理回路
２１３・・・音声増幅回路
２１４・・・スピーカ
２２０・・・内部バス
２２１・・・ＣＰＵ
２２２・・・フラッシュＲＯＭ
２２３・・・ＤＲＡＭ
２２４・・・イーサネットインタフェース
２２５・・・ネットワーク端子
２２６・・・リモコン受信部
２２７・・・リモコン送信機
２３１・・・表示制御部
２３２・・・電源部
３００・・・ＤＰシステム
３０１・・・ＤＰ送信機器
３０２・・・ＤＰ送信部
３０３・・・ＤＰケーブル
３０４・・・メインリンク
３０５・・・ＡＵＸチャネル
３０６・・・ホットプラグ検知
３０７・・・ＤＰ受信機器
３０８・・・ＤＰ受信部
３０９・・・記憶部
４００・・・ＭＨＬシステム
４０１・・・ＭＨＬ送信機器
４０２・・・ＴＭＤＳ送信部
４０３・・・記憶部
４０４・・・ＭＨＬケーブル
４０５・・・ＴＭＤＳチャネル
４０６・・・ＣＢＵＳ/ｅＣＢＵＳライン
４０７・・・ＶＢＵＳライン
４０８・・・ＭＨＬ受信機器
４０９・・・ＴＭＤＳ受信部
４１０・・・記憶部
４１１・・・ＥＤＩＤ  ＲＯＭ
【図１】
2019118104.tif 000003
【図２】
2019118104.tif 000004
【図３】
2019118104.tif 000005
【図４】
2019118104.tif 000006
【図５】
2019118104.tif 000007
【図６】
2019118104.tif 000008
【図７】
2019118104.tif 000009
【図８】
2019118104.tif 000010
【図９】
2019118104.tif 000011
【図１０】
2019118104.tif 000012
【図１１】
2019118104.tif 000013
【図１２】
2019118104.tif 000014
【図１３】
2019118104.tif 000015
【図１４】
2019118104.tif 000016
【図１５】
2019118104.tif 000017
【図１６】
2019118104.tif 000018
【図１７】
2019118104.tif 000019
【図１８】
2019118104.tif 000020
【図１９】
2019118104.tif 000021
【図２０】
2019118104.tif 000022
【図２１】
2019118104.tif 000023
【図２２】
2019118104.tif 000024
【図２３】
2019118104.tif 000025
【図２４】
2019118104.tif 000026
【図２５】
2019118104.tif 000027
【図２６】
2019118104.tif 000028
【図２７】
2019118104.tif 000029
【図２８】
2019118104.tif 000030